(57)【要約】【課題】電源が供給されていない夜間等においても、開閉扉またはおよび遊技盤本体の不正開閉を検知するとともに報知手段により報知する。【解決手段】外枠および該外枠に対して開閉自在に配設された開閉扉および遊技盤本体を備えた遊技機において、前記開閉扉またはおよび遊技盤本体の開閉動作に付随して動く移動部材と、前記移動部材の位置を検出して定位置にあるのか、移動した位置にあるのかを検出する位置検出センサー２と前記位置検出センサー２の出力に基づき前記開閉扉またはおよび遊技盤本体の開閉を判定する判定回路と、該判定回路において前記移動部材が移動位置にあることが判定された時には、異常を報知する報知手段９０を備える遊技機。【選択図】図１１
2010029323.tif 000002
【特許請求の範囲】
【請求項１】
外枠および該外枠に対して開閉自在に配設された開閉扉および遊技盤本体を備えた遊技機において、
前記開閉扉またはおよび遊技盤本体の開閉動作に付随して動く移動部材と、
前記移動部材の位置を検出して定位置にあるのか、移動した位置にあるのかを検出する位置検出センサーと
前記位置検出センサーの出力に基づき前記開閉扉またはおよび遊技盤本体の開閉を判定する判定回路と、
該判定回路において前記移動部材が移動位置にあることが判定された時には、異常を報知する報知手段を備えた
ことを特徴とする遊技機。
【請求項２】
外枠および該外枠に対して開閉自在に配設された開閉扉および遊技盤本体を備えた遊技機において、
前記開閉扉またはおよび遊技盤本体の開閉動作に付随して動く移動部材と、
前記移動部材の位置を検出して定位置にあるのか、移動した位置にあるのかを検出する位置検出センサーと
前記位置検出センサーの出力に基づき、前記開閉扉またはおよび遊技盤本体の開閉を判定する判定回路と、
該判定回路において前記移動部材が移動位置にあるまたは定位置にあると判定された時には、異常または正常を報知する報知手段を備えた
ことを特徴とする遊技機。
【請求項３】
請求項１または請求項２において、
前記報知手段が異常を報知する場合には、ホールの集中管理室に異常報知出力を出力する
ことを特徴とする遊技機。
【請求項４】
請求項１または請求項２において、
前記報知手段が異常を報知する場合には、ホールの島表示部において異常報知する
ことを特徴とする遊技機。
【発明の詳細な説明】
【技術分野】
【０００１】
本発明は、外枠および該外枠に対して開閉自在に配設された開閉扉および遊技盤本体を備えた遊技機において、夜間における前記開閉扉またはおよび遊技盤本体の不正開閉を検知するとともに報知手段により報知する遊技機に関するものである。
【背景技術】
【０００２】
従来の第１の遊技機においては、図４３に示されるように開閉自在の前面扉が上扉および下扉に分割された筐体を備え、下扉の裏面側上部に移動部材Ｉが設けられ、変更許可ボタンセンサから許可信号が出力されていない時において、設定変更操作が不正に行われた時にはソレノイドＳＬにより前記移動部材Ｉを移動させて、下扉の閉動作を阻止するものであった。
【特許文献１】特開２００７−１１７４１８
【０００３】
また従来の第２の遊技機においては、図４４に示されるように扉が開放されると、レールＲに移動可能に取り付けられた扉開放センサＳが駆動部によってレールＲに沿って移動されることにより、扉の開放を検知するものであった。
【特許文献２】特開２００６−１４９４８５
【発明の開示】
【発明が解決しようとする課題】
【０００４】
しかしながら、上記従来の第１の遊技機においては、昼間の開店時間内において、変更許可ボタンセンサから許可信号が出力されていない時に設定変更操作が不正に行われた時にはソレノイドＳＬにより前記移動部材Ｉを移動させて、下扉の閉動作を阻止するものであり、電源供給のない夜間における前記開閉扉またはおよび遊技盤本体の不正開閉を検知することは出来ないという問題があった。
【０００５】
また従来の第２の遊技機においては、昼間の開店時間内において、扉が開放されると、レールＲに移動可能に取り付けられた扉開放センサＳが駆動部によってレールＲに沿って移動されることにより、扉の開放を検知するものであり、駆動部への電源供給のない夜間における前記開閉扉またはおよび遊技盤本体の不正開閉を検知することは出来ないという問題があった。
【０００６】
そこで本発明者は、外枠および該外枠に対して開閉自在に配設された開閉扉および遊技盤本体を備えた遊技機において、夜間における前記開閉扉またはおよび遊技盤本体の開閉動作に付随して動く移動部材の位置を、翌朝電源投入がされた後、位置検出センサーによって、定位置にあるのか、移動した位置にあるのかを検出して、前記位置検出センサーの出力に基づき判定回路により前記開閉扉またはおよび遊技盤本体の開閉を判定するとともに、該判定回路において前記移動部材が移動位置にあることが判定された時には、報知手段が異常を報知するという本願発明の第１の基本的な技術的思想に着眼した。
【０００７】
また本発明者は、外枠および該外枠に対して開閉自在に配設された開閉扉および遊技盤本体を備えた遊技機において、夜間における前記開閉扉またはおよび遊技盤本体の開閉動作に付随して動く移動部材の位置を、翌朝電源投入がされた後、位置検出センサーによって、定位置にあるのか、移動した位置にあるのかを検出するとともに、前記位置検出センサーの出力に基づき、判定回路により前記開閉扉またはおよび遊技盤本体の開閉を判定するとともに、該判定回路において前記移動部材が移動位置にある、または定位置にあると判定された時には、報知手段が異常または正常を報知するという本願発明の第２の基本的な技術的思想に着眼した。
【０００８】
さらに本発明者は、上述の着眼した基本的な技術的思想に基づき、研究開発を重ねた結果、夜間における前記開閉扉またはおよび遊技盤本体の不正開閉を検知するとともに、報知手段により報知するという目的を達成する本発明に到達した。
【課題を解決するための手段】
【０００９】
本発明（請求項１に記載の第１発明）の遊技機は、
外枠および該外枠に対して開閉自在に配設された開閉扉および遊技盤本体を備えた遊技機において、
前記開閉扉またはおよび遊技盤本体の開閉動作に付随して動く移動部材と、
前記移動部材の位置を検出して定位置にあるのか、移動した位置にあるのかを検出する位置検出センサーと
前記位置検出センサーの出力に基づき前記開閉扉またはおよび遊技盤本体の開閉を判定する判定回路と、
該判定回路において前記移動部材が移動位置にあることが判定された時には、異常を報知する報知手段を備えた
ものである。
【００１０】
本発明（請求項２に記載の第２発明）の遊技機は、
外枠および該外枠に対して開閉自在に配設された開閉扉および遊技盤本体を備えた遊技機において、
前記開閉扉またはおよび遊技盤本体の開閉動作に付随して動く移動部材と、
前記移動部材の位置を検出して定位置にあるのか、移動した位置にあるのかを検出する位置検出センサーと
前記位置検出センサーの出力に基づき、前記開閉扉またはおよび遊技盤本体の開閉を判定する判定回路と、
該判定回路において前記移動部材が移動位置にあるまたは定位置にあると判定された時には、異常または正常を報知する報知手段を備えた
ものである。
【００１１】
本発明（請求項３に記載の第３発明）の遊技機は、
前記第１発明または前記第２発明において、
前記報知手段が異常を報知する場合には、ホールの集中管理室に異常報知出力を出力する
ものである。
【００１２】
本発明（請求項４に記載の第４発明）の遊技機は、
前記第１発明または前記第２発明において、
前記報知手段が異常を報知する場合には、ホールの島表示部において異常報知する
ものである。
【発明の効果】
【００１３】
上記構成より成る第１発明の遊技機は、外枠および該外枠に対して開閉自在に配設された開閉扉および遊技盤本体を備えた遊技機において、夜間における前記開閉扉またはおよび遊技盤本体の開閉動作に付随して動く移動部材の位置を、翌朝電源投入がされた後、位置検出センサーによって、定位置にあるのか、移動した位置にあるのかを検出して、前記位置検出センサーの出力に基づき判定回路により前記開閉扉またはおよび遊技盤本体の開閉を判定するとともに、判定回路において前記移動部材が移動位置にあることが判定された時には、前記報知手段が異常を報知するので、夜間における前記開閉扉またはおよび遊技盤本体の不正開閉を精確に検知するとともに、遊技盤に配設された釘への操作および制御基板への不正改造の可能性を報知することにより、翌朝電源投入後に遊技盤に配設された釘への操作および制御基板の不正改造に対する処置を可能にするという効果を奏する。
【００１４】
上記構成より成る第２発明の遊技機は、外枠および該外枠に対して開閉自在に配設された開閉扉および遊技盤本体を備えた遊技機において、夜間における前記開閉扉またはおよび遊技盤本体の開閉動作に付随して動く移動部材の位置を、翌朝電源投入がされた後、位置検出センサーによって、定位置にあるのか、移動した位置にあるのかを検出するとともに、前記位置検出センサーの出力に基づき、判定回路により前記開閉扉またはおよび遊技盤本体の開閉を判定するとともに、判定回路において前記移動部材が移動位置にあるまたは定位置にあると判定された時には、前記報知手段が異常または正常を報知するので、夜間における前記開閉扉またはおよび遊技盤本体の不正開閉の有無を精確に検知するとともに、遊技盤に配設された釘への操作および制御基板への不正改造の可能性の有無を報知することにより、翌朝電源投入後に遊技盤に配設された釘への操作および制御基板の不正改造に対する処置を可能にするという効果を奏する。
【００１５】
上記構成より成る第３発明の遊技機は、前記第１発明または前記第２発明において、前記報知手段が異常を報知する場合には、ホールの集中管理室に異常報知出力を出力するので、集中管理室に常駐する従業員への報知を可能にするという効果を奏する。
【００１６】
上記構成より成る第４発明の遊技機は、前記第１発明または前記第２発明において、前記報知手段が異常を報知する場合には、ホールの島表示部において異常報知するので、ホール内の従業員への報知を可能にするという効果を奏する。
【発明を実施するための最良の形態】
【００１７】
以下本発明の最良の実施の形態につき実施例に基づき、図面を用いて説明する。
【実施例１】
【００１８】
本第１実施例のパチンコ遊技機は、図１ないし図１１に示されるように、外枠１０１と、前記外枠１０１に対して揺動自在に付設された開閉扉９および遊技盤本体１００と、前記開閉扉９またはおよび前記遊技盤１００の開閉動作を支持するヒンジ部１０２と、鍵のロック機構５０を備えたパチンコ遊技機において、開閉扉９の開放動作に付随して移動する移動部材１と、前記移動部材の位置を検出して定位置にあるのか、移動した位置にあるのかを検出する位置検出センサー２と、移動し前記移動部材１の位置を定位置に復帰させる復帰駆動手段３と、前記開閉扉９の開閉を検知する扉開閉検知手段４と、前記開閉扉９に配設された鍵のロック機構５０の開施錠を検知して、前記復帰駆動手段３に信号を出力するための開閉扉９の鍵のロック位置検出センサー５と、開閉扉９の電子ロック機構６と、電子ロック機構６のロック状態を検知する電子ロック検知手段７と、これらの検出センサーおよび検知手段からの入力情報に基づき営業時間外の不正な開閉扉９の開閉を判定する判定回路と、該判定回路において前記移動部材１が移動位置にあるまたは定位置にあると判定された時には、異常または正常を報知する報知手段を備えている。
【００１９】
前記開閉扉９および遊技盤本体１００は、図１に示されるように前記外枠１０１の左側上下部の端部に配設されたヒンジ部１０２によって揺動自在に支持されることによって、前記外枠１０１に対して揺動自在に配設されている。
【００２０】
前記移動部材１は、図２ないし図４に示されるように移動機構１０における前記開閉扉９の開放動作に伴う押圧部材１６の先端部１６１の押圧により、ガイド棒１３および１４に沿って移動する矩形部材１５によって構成される。
【００２１】
前記移動機構１０は、図２ないし図４に示されるように、前記開閉扉９を揺動自在に支持するヒンジ部１０２が配設される前記外枠１０１の上面に前後方向において一定距離離して配設された所定厚さの矩形部材より成る両端部材１１および１２と、該両端部材１１および１２を連結して、上下方向一定間隔で平行に延在形成された円柱状の前記ガイド棒１３および１４と、前記ガイド棒が介挿される２個の穴部を有し、前記両端部材１１および１２の間において前記ガイド棒１３および１４に沿って移動する前記両端部材１１および１２に比べてサイズの大きな前記矩形部材１５と、前記開閉扉９の下端のコーナー部９１に突設され、前記開閉扉９が開放された時、前記ヒンジ廻りの揺動に伴い前記先端部１６１が前記矩形部材１５の一方の面１５１に当接して、前記ガイド棒１３，１４に沿って前記矩形部材１５を後方へ移動させる前記押圧部材１６とによって構成される。
【００２２】
前記一方の両端部材１２は、前記ガイド棒１３および１４が介挿される２個の穴部の間の部位に磁石のような磁気を帯びた部材１６Ｍが螺装され介挿される穴部を有する。また、前記磁気を帯びた部材１６Ｍは、図３（ａ）破線表示に示されるように前記開閉扉９が開放された際に前記押圧部材１６の揺動により揺動して接近してきた前記矩形部材１５を前記両端部材１２へ磁気吸着力により誘引することにより、前記移動機構１０の移動を確実なものとするとともに、図３（ｂ）に示すように前記開閉扉９の閉鎖時において、前記開閉扉９に配設された前記押圧部材１６の前記先端部１６１と前記矩形部材１５の一方の面１５１との間に一定の間隔を確保して、干渉を回避することにより前記開閉扉９の閉鎖動作を円滑なものとするように構成されている。
【００２３】
前記位置検出センサー２は、図２ないし図４に示されるように前記外枠１０１の上面に前後方向において前記開閉扉９と一定距離離して配設された直方体のベース部材３２の上面に配設された矩形部材３３の前記矩形部材１５に対向する前方端に備え付けられ、前記矩形部材１５が、前記開閉扉９の開放動作に伴い後方に移動された際に、前記矩形部材１５の移動に合わせて後方に撓み変形するバネ材より成る略ノの字状の接触部材２１と、前記略ノの字状の接触部材２１が撓み後方に変形揺動して接点部材２３に当接するとＯＮ検知となり、前記矩形部材１５の移動を検知する押圧検知センサー２２とにより構成されている。
【００２４】
前記復帰駆動手段３は、図２ないし図４に示されるように前記外枠１０１の上面に前後方向において前記開閉扉９と一定距離離して配設された前記ベース部材３２内に配設されたソレノイド３５と、該ソレノイド内に往復動自在に介挿され、後方に移動された前記矩形部材１５を復帰駆動電流に基づき前記ソレノイド３５の磁気駆動力により前方に移動して前方定位置に戻すための押圧棒３１と、前記押圧棒３１の一端に配設され、該押圧棒３１を手動で前後方向に操作するための手動操作部３４とにより構成されている。
【００２５】
上述の前記移動機構１０と前記位置検出センサー２と前記復帰駆動手段３は、図２に示されるように前記押圧部材１６との干渉を回避するための矩形状の開口部が一部に形成された直方体状の包囲部材１０９によって包囲され、前記矩形部材１５の位置、前記押圧検知センサー２２の状態および手動操作部３４の位置が外部から見えないように構成されている。
【００２６】
前記扉開閉検知手段４は、図５および図６に示されるように前記外枠１０１の前記ヒンジ部１０２が配設された枠体側面とは反対側の遊技盤側面に接合部材４１および４２により備えつけられ、開閉扉９が閉鎖された際に閉鎖状態を安定維持させるための磁石のような磁気を帯びた平行に配設された２個の部材４３と、前記開閉扉９が閉鎖された際に前記開閉扉９に押圧され後方に退避するローラ状部材４４と、一端４５１が固着され、他端に前記ローラ状部材４４を回転自在に支持するためのピン部材４５２の両端を支持する支持部４５３を有し前記ローラ状部材４４に連動して動くバネ材よりなる薄板状の揺動部材４５と、前記開閉扉９が閉鎖状態となり前記揺動部材４５が後方に押圧されると前記支持部４５３背面と当接する接点部材４５４とから成り、前記開閉扉９の閉鎖状態を検知する押圧検知センサー４６とにより構成され、主に昼間の電源投入時において前記開閉扉９が開放された際に照明の点滅または音声等で報知することにより不正開閉を抑制するために用いられる。
【００２７】
鍵のロック機構５０は、図７に示されるように前記開閉扉９の前記ヒンジ部１０２と逆側（開放端側）に配設された鍵操作部５４と、前記開閉扉９に回転自在に支持され、前記鍵操作部５４の回転動作に応じて一体的に回転する円柱上の回転軸５５と、前記回転軸５５に固着された矩形部材によって構成され前記鍵操作部５４の操作による回転動作に連動して前記回転軸５５を介して一体的に回転し前記枠体１０１と係合してロックする係合部材５６とから成る。
【００２８】
前記開閉扉９の鍵のロック位置検出センサー５は、図７に示されるように前記枠体１０１の後方、前記開閉扉９のヒンジ部１０２と逆側に前記係合部材５６と一定距離離して対向配設され、一端が固着されたバネ材より成る薄板矩形状の揺動部材５２と、前記揺動部材５２の他端に回転自在に配設されたローラ状部材５１とから成り、図７（ｂ）に示されるように前記鍵操作部５４において施錠動作された際に前記係合部材５６の先端部との接触によりローラ状部材５１が押圧され右方に退避するので、前記ローラ状部材５１を一端に支持する前記揺動部材５２が他端を中心として図中反時計方向に揺動するので、前記開閉扉９の鍵が開いている状態においては図７（ａ）に示されるように図中右方に突出して、前記揺動部材５２と非接触の接点部材５３が揺動してきた前記揺動部材５２に接触して図中左方へ押圧され、前記開閉扉９が施錠されたことを検知するように構成されている。
【００２９】
前記開閉扉９の電子ロック機構６は、図８および図９に示されるように前記枠体１０１の後方、前記開閉扉９の前記ヒンジ部１０２と逆側のコーナー部６０に突設され、図中左右方向に移動自在に形成された円柱状の第１の往復部材６１と、前記第１の往復部材６１の駆動源となるソレノイド６２を内蔵するケース部材６３と、前記第１の往復部材６１を手動で左右方向に操作するための手動操作部６４と、前記第１の往復部材６１と上下方向に延在形成された連結部６５を介して連結された図中左右方向に往復自在に延在形成された第２の往復部材としての円柱状のロック棒６８と、前記枠体１０１の後方に固定形成され前記円柱状のロック棒６８の左右方向の動きを誘導する穴部６９を有する前記枠体１０１に固定された固定部材７０と、前記開閉扉９の後方に固定形成され図９（ｂ）に示されるように前記円柱状のロック棒６８が図中右方に誘導された際に該円柱状のロック棒６８を収納可能な穴部７１を有した前記開閉扉９に固定配設された第２の固定部材７２とにより構成される。
【００３０】
前記電子ロック機構６のロック状態を検知する電子ロック検知手段７は、図８および図９に示されるように前記枠体１０１の後方、前記開閉扉９のヒンジ部１０２と逆側に前記開閉扉９の電子ロック機構６の下方に一定距離離して配設された一端が固着されたバネ材より成る薄板状矩形部材の揺動部材７４と、前記揺動部材７４の他端に回転自在に配設されたローラ状部材７３とから成り、図９（ｂ）に示されるように前記開閉扉９の電子ロック機構６において施錠動作された際に前記連結部材６５の下端６５１が図中右方へ揺動することに伴い当該下端６５１に押圧されローラ状部材７３が下方に退避するので前記ローラ状部材７３に連動して揺動部材７４が図中時計方向に揺動するため、上方に突出していた接点部材７５と揺動した揺動部材７４とが当接することによりロック状態を検知するように構成されている。
【００３１】
前記判定回路は、図１に示されるように前記外枠１０１の左側上下部の端部に配設されたヒンジ部１０２によって前記開閉扉９とともに揺動自在に支持された前記遊技盤本体１００の裏面に配設された制御基板１０８上に配設されたマイクロコンピュータ８０によって構成される。
【００３２】
前記マイクロコンピュータ８０は、図１１に示すように前記制御基板１０８上に配設されたＣＰＵ８１と、制御プログラム、不正開閉判定プログラム他の各種プログラムおよびデータが格納されているＲＯＭ８２およびＲＡＭ８３と、Ｉ／０すなわち入出力インターフェース８４とから成る。
【００３３】
前記入出力インターフェース８４の入力インターフェース８４１には、前記位置検出センサー２の押圧検知センサー２２と、前記扉開閉検知手段４の押圧検知センサー４６と、前記開閉扉９の鍵のロック位置検出センサー５と、電子ロック検知手段７その他のセンサーおよび前記解除スイッチ１１０その他の各種スイッチがそれぞれ接続されている。
【００３４】
前記入出力インターフェース８４の出力インターフェース８４２には、図柄表示装置、スピーカ、装飾ランプ、役物装置、遊技球発射ソレノイド、前記復帰駆動手段３と前記電子ロック機構６および報知手段９０その他のものが接続されている。
【００３５】
前記報知手段９０は、前記判定回路を構成する前記マイクロコンピュータ８０からの指令により、図柄表示装置、スピーカ、装飾ランプまたは役物装置等のいずれかまたは複数を用いて報知する、夜間に不正開放が行われた場合の不正開放を報知する異常報知状態と、夜間に不正開放が行われなかった場合の正常報知状態を備えている。
【００３６】
本第１実施例においては、前記報知手段９０が、前記報知手段が異常を報知する場合には、ホールの集中管理室に異常報知出力を出力するとともに、ホールの島表示部において異常報知するように構成されている。
【００３７】
上記構成より成る本第１実施例における前記開閉扉９の不正開放検知の流れを以下において説明する。
最初に本第１実施例のパチンコ遊技機において、電源が投入された営業時間中には図７（ａ）に示されるように前記開閉扉９の鍵が開錠されると、前記開閉扉９の鍵のロック位置検出センサー５によってＯＦＦ検知される。
【００３８】
すなわち鍵が開錠されると前記開閉扉９の鍵のロック位置検出センサー５において、前記係合部材５６が反時計方向に回転するので、該係合部材５６の先端部との接触により押圧されていた前記ローラ状部材５１が図中右方に突出するため、前記接点部材５３に当接していた前記揺動部材５２が図中時計方向に揺動して、前記接点部材５３との接触状態が解除され、ＯＦＦ検知される。
【００３９】
続いて、前記開閉扉９の鍵のロック位置検出センサー５のＯＦＦ検知信号に基づき前記開閉扉９の電子ロック機構６において電子ロックが解除されるとともに前記電子ロック機構６のロック状態を検知する電子ロック検知手段７がＯＦＦ検知される。
【００４０】
すなわち前記ソレノイド６２の磁気駆動力により前記往復部材６１が図中左方に移動するので、該往復部材６１と連結された第２の往復部材としての円柱状のロック棒６８が図中左方に移動することにより、前記開閉扉９に配設された第２の固定部材７２の前記穴部７１と非接触状態となり前記開閉扉９が開閉自在な状態となる。また、前記往復部材６１が図中左方に移動するので、該往復部材６１と連結した前記連結部材６５が図中左方に移動するため、前記連結部材６５の下端６５１が図中左方に退避することにより、前記電子ロック機構６のロック状態を検知する電子ロック検知手段７の前記ローラ状部材７３が図中下方への前記下端６５１による押圧から開放され図中上方へと退避し、前記ローラ状部材７３と連動して前記揺動部材７４が反時計方向に揺動することによって、前記揺動部材７４と前記接点部材７５が非接触状態（ロック解除状態）となることによりＯＦＦ検知される。
【００４１】
次に図６（ａ）および図６（ｃ）に示されるように前記開閉扉９が開放されると前記扉開閉検知手段４においてＯＦＦ検知されるとともに図３（ａ）破線表示および図４（ｂ）に示されるように前記移動部材１が移動し、前記位置検出センサー２においてＯＮ検知される。
【００４２】
すなわち前記開閉扉９が図中右方に移動する（図６（ｃ））または時計方向に揺動する（図６（ａ））ので、前記開閉扉９により図中左方に押圧されていた前記ローラ状部材４４が図中右方へ移動し、また前記ローラ状部材４４に連動して動く前記揺動部材４５が反時計方向に揺動し前記接点部材４５４と非接触状態となることにより前記扉開閉検知手段４においてＯＦＦ検知される。また、前記開閉扉９の開放により前記押圧部材１６の前記先端部１６１が揺動し前記矩形部材１５を図３および図４中右方に退避させるので、該矩形部材１５に押圧され撓み変形した前記略ノの字状の接触部材２１が前記接点部材２３に当接することにより前記位置検出センサー２においてＯＮ検知される。
【００４３】
また前記開閉扉９が閉鎖されると図６（ｂ）および図６（ｄ）に示されるように前記扉開閉検知手段４においてＯＮ検知される。
【００４４】
すなわち前記開閉扉９が図中左方に移動する（図６（ｄ））または反時計方向に揺動する（図６（ｂ））ので、前記ローラ状部材４４が前記開閉扉９により図中左方に押圧されるので、前記ローラ状部材４４に連動して動く前記揺動部材４５が時計方向に揺動し前記接点部材４５４と接触状態となることにより前記扉開閉検知手段４においてＯＮ検知される。
【００４５】
さらに前記開閉扉９の鍵が施錠されると図７（ｂ）に示されるように前記開閉扉９の鍵のロック位置検出センサー５においてＯＮ検知される。
すなわち鍵が施錠されると前記開閉扉９の鍵のロック位置検出センサー５において前記係合部材５６が時計方向に回転するので、前記ローラ状部材５１が該係合部材５６の先端部に押圧されて図中左方に移動するため、前記ローラ状部材５１と連動して動く前記揺動部材５２が図中反時計方向に揺動して、前記接点部材５３と接触することにより、ＯＮ検知される。
【００４６】
前記開閉扉９の鍵のロック位置検出センサー５のＯＮ検知信号に基づき図９（ｂ）に示されるように前記開閉扉９の電子ロック機構６において施錠状態となり前記電子ロック機構６のロック状態を検知する電子ロック検知手段７がＯＮ検知される。
【００４７】
すなわち前記ソレノイド６２の磁気駆動力により前記往復部材６１が図中右方に移動するので、該往復部材６１と連結された第２の往復部材としての円柱状のロック棒６８が図中右方に移動することにより、前記開閉扉９に配設された第２の固定部材７２の前記穴部７１に前記円柱状のロック棒６８が収容され、前記開閉扉９が開放不可能な状態となる。また、前記往復部材６１が図中右方に移動するので、該往復部材６１と連結した前記連結部材６５が図中右方に移動するので前記連結部材６５の下端６５１が図中右方に移動することにより、前記電子ロック機構６のロック状態を検知する電子ロック検知手段７の前記ローラ状部材７３を図中下方へ押圧し、前記ローラ状部材７３と連動して前記揺動部材７４が時計方向に揺動することにより、前記揺動部材７４と前記接点部材７５が接触状態となることによりＯＮ検知される。
【００４８】
ここで前記開閉扉９の鍵のロック位置検出センサー５のＯＮ検知信号を契機として復帰駆動手段３が作動し、図４（ａ）破線表示に示されるように前記移動部材１が定位置に戻り前記位置検出センサー２においてＯＦＦ検知される。
【００４９】
すなわち復帰駆動電流に基づき前記ソレノイド３５の磁気駆動力により前記押圧棒３１が図中左方に移動し、該押圧棒３１の移動に押圧され前記矩形部材１５が左方へと移動するので、該矩形部材１５の図中右方への押圧から開放された前記略ノの字状の接触部材２１が時計方向に揺動することにより前記接点部材と非接触状態となり前記位置検出センサー２においてＯＦＦ検知される
【００５０】
次に本第１実施例のパチンコ遊技機は、営業時間外においては、電源無供給であり、前記開閉扉９の鍵が開錠されても、電源が供給されていないため前記開閉扉９の鍵のロック位置検出センサー５が、図７（ａ）に示されるようなＯＦＦ状態となるがＯＦＦ検知はされず、当然前記開閉扉９の電子ロック機構６において電子ロックが解除されるための信号も出力されない。
【００５１】
すなわち鍵が開錠されると前記開閉扉９の鍵のロック位置検出センサー５において、前記係合部材５６が反時計方向に回転するので、該係合部材５６の先端部との接触により押圧されていた前記ローラ状部材５１が図中右方に突出するため、前記接点部材５３に当接していた前記揺動部材５２が図中時計方向に揺動して、前記接点部材５３との接触状態が解除され、ＯＦＦ状態となるが電源が供給されていないため当然前記開閉扉９の電子ロック機構６において電子ロックが解除されるための信号が出力されないので、前記電子ロック機構６は図９（ｂ）に示されるように前記往復部材６１が図中右方の位置に維持されるので、該往復部材６１と連結された第２の往復部材としての円柱状のロック棒６８が図中右方の位置に維持されることにより、前記開閉扉９に配設された第２の固定部材７２の前記穴部７１に前記円柱状のロック棒６８が収容された状態を維持するため、前記開閉扉９が開放不可能な状態を維持する。
【００５２】
本第１実施例のパチンコ遊技機においては、営業時間が終了し、正当な手順でパチンコ遊技機への電源が切断された場合には、営業時間外において前記開閉扉９は開放不可能となるように構成されており、不正開放を検知する機能に加え不正開放を防止する機能を有している。
以下、不正に電子ロックを解除された場合等により前記開閉扉９が不正開放される場合を説明する。上記した不正開放がされる場合には、前記開閉扉９の鍵のロック位置検出センサー５は図７（ａ）に示されるようなＯＦＦ状態にあり、前記開閉扉９の電子ロック機構６は図９（ａ）に示されるように不正解除されており前記電子ロック機構６のロック状態を検知する電子ロック検知手段７はＯＦＦ状態にある。
【００５３】
すなわち前記開閉扉９の鍵のロック位置検出センサー５において前記係合部材５６の先端部と前記ローラ状部材５１は非接触状態であり、前記接点部材５３に当接していた前記揺動部材５２は図中時計方向に揺動した状態であるため前記接点部材５３とは非接触状態が維持されている。
【００５４】
また、何者かの何らかの操作により前記往復部材６１が図中左方に移動されているので、該往復部材６１と連結された第２の往復部材としての円柱状のロック棒６８が図中左方に移動することによって、前記開閉扉９に配設された第２の固定部材７２の前記穴部７１と非接触状態となり前記開閉扉９が開閉自在な状態となる。また、前記往復部材６１が図中左方に移動されるので、該往復部材６１と連結した前記連結部材６５が図中左方に移動するため、前記連結部材６５の下端６５１が図中左方に退避することにより、前記電子ロック機構６のロック状態を検知する電子ロック検知手段７の前記ローラ状部材７３が図中下方への前記下端６５１による押圧から開放され図中上方へと退避し、前記ローラ状部材７３と連動して前記揺動部材７４が反時計方向に揺動することによって、前記揺動部材７４と前記接点部材７５が非接触状態となることによりＯＦＦ状態となる。
【００５５】
次に前記開閉扉９が不正開放されると前記扉開閉検知手段４は図６（ａ）および図６（ｃ）に示されるようなＯＦＦ状態となるとともに前記移動部材１が図３（ａ）破線表示に示されるように移動し、位置検出センサー２は図３( ａ) 破線表示および図４（ｂ）に示されるようにＯＮ状態となる。
【００５６】
すなわち前記開閉扉９が、図中右方に移動する（図６（ｃ））または時計方向に揺動する（図６（ａ））ので、前記開閉扉９により図中左方に押圧されていた前記ローラ状部材４４が図中右方へ移動し、また前記ローラ状部材４４に連動して動く前記揺動部材４５が反時計方向に揺動し前記接点部材４５４と非接触状態となることにより前記扉開閉検知手段４においてＯＦＦ状態となる。また、前記開閉扉９の開放により前記押圧部材１６の前記先端部１６１が揺動し前記矩形部材１５を図３および図４中右方に退避させるので、該矩形部材１５に押圧され撓み変形した前記略ノの字状の接触部材２１が前記接点部材２３に当接することによって、前記位置検出センサー２においてＯＮ状態となる。
【００５７】
続いて前記開閉扉９が閉鎖されると前記扉開閉検知手段４は、図６（ｂ）および図６（ｄ）に示されるようにＯＮ状態となる。
すなわち前記開閉扉９が図中左方に移動する（図６（ｄ））または反時計方向に揺動する（図６（ｂ））ので、前記ローラ状部材４４が前記開閉扉９により図中左方に押圧され、前記ローラ状部材４４に連動して動く前記揺動部材４５が時計方向に揺動し前記接点部材４５４と接触状態となることにより前記扉開閉検知手段４においてＯＮ状態となる。
【００５８】
続いて前記開閉扉９の鍵が施錠されると前記開閉扉９の鍵のロック位置検出センサー５は図７（ｂ）に示されるようなＯＮ状態となるが、電源が供給されていないため前記開閉扉９の電子ロック機構６において電子ロックが施錠されるための信号は出力されず、前記電子ロック機構６のロック状態を検知する電子ロック検知手段７は図９（ａ）に示されるようなＯＦＦ状態を維持するととともに、前記復帰駆動手段３が作動しないために前記移動部材１は図３（ｂ）に示されるように移動した場所にとどまり前記位置検出センサー２はＯＮ状態を維持する。
【００５９】
すなわち鍵が施錠されると前記開閉扉９の鍵のロック位置検出センサー５において前記係合部材５６が時計方向に回転するので、前記ローラ状部材５１が該係合部材５６の先端部に押圧されて図中左方に移動するため、前記ローラ状部材５１と連動して動く前記揺動部材５２が図中反時計方向に揺動して、前記接点部材５３と接触することにより、ＯＮ状態となるが前記開閉扉９の電子ロック機構６の前記ソレノイド６２は復帰駆動電流が供給されないため前記往復部材６１が図中左方に移動した位置で維持され、該往復部材６１と連結された第２の往復部材としての円柱状のロック棒６８が図中左方に移動した位置で維持されることによって、前記開閉扉９に配設された第２の固定部材７２の前記穴部７１と前記円柱状のロック棒６８は非接触状態を維持し、前記開閉扉９が開放可能な状態を維持する。
【００６０】
また、前記往復部材６１が図中左方へ移動した位置で維持されるので、該往復部材６１と連結した前記連結部材６５が図中左方に移動した位置で維持され前記連結部材６５の下端６５１が左方に移動した位置で維持されるため、前記電子ロック機構６のロック状態を検知する電子ロック検知手段７の前記ローラ状部材７３は図中下方へ押圧されないので、前記ローラ状部材７３と連動して前記揺動部材７４が反時計方向に揺動した位置を維持することにより、前記揺動部材７４と前記接点部材７５が非接触状態を維持するので前記電子ロック機構６のロック状態を検知する電子ロック検知手段７はＯＦＦ状態を維持する。
【００６１】
ここで、翌朝電源供給が切断されていたパチンコ遊技機に、開店前に電源が投入されると、前記電子ロック機構６のロック状態を検知する電子ロック検知手段７がＯＦＦ検知されるとともに、前記位置検出センサー２がＯＮ検知される。なお、正当な手順でパチンコ遊技機への電源が切断され、不正開放されることなく再度電源が投入された場合は前記電子ロック機構６のロック状態を検知する電子ロック検知手段７はＯＮ検知されるとともに、前記位置検出センサー２はＯＦＦ検知されるためこれらの出力に基づき前記判定回路において営業時間外における不正開放の可能性を判定し、パチンコ遊技機に備えられた報知手段９０によって報知するための信号を出力する。
【００６２】
なお、報知手段９０は、判定回路からの指令により、夜間に不正開放が行われた場合の不正開放報知状態と、夜間に不正開放が行われなかった場合の正常報知状態を備えている。
【００６３】
なお、異常報知がなされ従業員により遊技盤に配設された釘の不正操作および制御基板への不正改造への処置がなされた後、前記開閉扉９の鍵のロック機構５０において施錠動作されるとともに、前記開閉扉９の鍵のロック位置検出センサー５において施錠が検知されると、前記判定回路としての前記マイクロコンピュータ８０からの復帰駆動指令により前記復帰駆動手段３が作動し、図４（ａ）破線表示で示されるように前記移動部材１が定位置に戻り前記位置検出センサー２においてＯＦＦ検知される。
【００６４】
さらに前記開閉扉９が不正開放され前記電子ロック機構６のロック状態を検知する電子ロック検知手段７が図９（ａ）に示されるようなＯＦＦ状態となり前記位置検出センサー２が図３（ｂ）に示されるようなＯＮ状態となった後に、何者かが前記電子ロック機構６のロック状態を検知する電子ロック検知手段７を図９（ｂ）に示されるようなＯＮ状態に戻した場合にも、本第１実施例のパチンコ遊技機では電源投入時に前記位置検出センサー２がＯＮ検知されれば前記判定回路において不正開放の可能性ありと判定するように設定してあるため前記電子ロック機構６を操作できる者による不正開放に対しても検出可能なように構成されている。
【００６５】
また、前記開閉扉９の不正開放により前記位置検出センサー２が図１０（ａ）における破線表示で示されるようなＯＮ状態となった後に、不正開放者が前記移動部材１を図１０（ａ）における実線表示で示されるような定位置に故意に戻すことにより前記位置検出センサー２をＯＦＦ状態とした場合には図１０（ｂ）に示されるように前記開閉扉９の閉鎖が不可能なように構成されているため、前記移動部材１および前記位置検出センサー２の存在を知る者または気づいた者または操作し得る者等による不正開放に対しても検出可能なように構成されている。
【００６６】
また、本第１実施例においては、不正開放による異常状態を判定した際には前記報知手段９０等により報知することに加え、一定条件が満たされるまでの間は遊技の開始を阻止する制御を加える変形例を採用することもできる。
【００６７】
本第１実施例における上述の遊技の開始阻止制御について、図１１のブロック図を用いて説明すると、位置検出センサー２または電子ロック機構６のロック状態を検知する電子ロック検知手段７の出力に応じて前記判定回路において不正開放が検知されるとメイン基板ＣＰＵ において異常判定制御が行なわれ、該異常判定制御からの出力信号により図柄表示装置、スピーカ、装飾ランプ、役物装置またはおよび報知手段９０等によって報知されるとともに、発射ソレノイドをＯＦＦとする信号を出力する。
【００６８】
次に異常報知および遊技の開始阻止制御の解除方法について以下で説明する。  本第１実施例の変形例の遊技機は、前記異常報知および遊技の開始阻止制御の解除方法として解除スイッチ１１０を備えており、前記解除スイッチ１１０は、図５に示されるように前記枠体１０１の後方方向に押圧可能なスイッチ操作部１１１と、前記枠体１０１の内部に備えられ前記スイッチ操作部１１１が前記枠体１０１の後方方向に押圧されたことを検知する押圧検知センサー１１２とから構成される。また前記解除スイッチ１１０を施錠管理可能とする鍵穴部１１３を有する包囲部材１１４を備えた構成となっている。
【００６９】
不正開放により異常報知および遊技の開始阻止制御が作動されると、該報知により特定遊技台の不正開放をホール従業員が確認した後、前記解除スイッチ１１０の前記スイッチ操作部１１１を押圧することにより、前記押圧検知センサー１１２の検知出力がメイン基板ＣＰＵに送信されることにより前記異常報知および前記遊技の開始阻止制御が解除されるとともに、前記開閉扉９の電子ロック機構６において施錠制御される。
【００７０】
以下において、電源切断時に不正開放され、電源投入時に不正開放による異常を検知し該異常検知による異常報知および遊技の開始阻止制御を前記解除スイッチ１１０を用いて解除するまでの流れを、前記制御基板１０８に配設された前記ＲＯＭ８２に予め格納されているプログラムに基づく図１２に示されるフローチャートを用いて説明する。
【００７１】
本第１実施例の遊技機は、電源が切断された閉店後、何者かが何らかの方法により電子ロックを解除して、前記開閉扉９が不正に開放されると、前記開閉扉９の開放により前記押圧部材１６の前記先端部１６１が揺動し、移動部材としての前記矩形部材１５を図３および図４中右方に退避させる。前記両端部材１２に配設された前記磁気を帯びた部材１６Ｍが、図３（ａ）破線表示に示されるように前記開閉扉９が開放された際に前記押圧部材１６の揺動により、退避接近してきた前記矩形部材１５を前記両端部材１２へ磁気吸着力により誘引するので、該矩形部材１５に押圧され撓み変形した前記略ノの字状の接触部材２１が前記接点部材２３に当接することによって、前記位置検出センサー２がＯＮ状態となる。
【００７２】
次にステップ２００１において、翌朝になり開店前に、遊技機の電源が投入される。
次にステップ２００２において、前記移動部材１が定位置にあるかどうかを、前記位置検出センサー２によって検出し、定位置にある場合はステップ２００３において、前記開閉扉９の電子ロック機構６が施錠状態か開錠状態かを前記電子ロック機構６のロック状態を検知する電子ロック検知手段７において検出する。
【００７３】
ステップ２００２において、前記移動部材１が定位置にあると判定されると、ステップ２００３において、前記開閉扉９の電子ロック機構６が施錠状態であることが検出される場合は、ステップ２００４において、前記判定回路が正常と判定し、ステップ２００５において、遊技開始可能状態となる。
【００７４】
ステップ２００２において、前記移動部材１としての前記矩形部材１５が定位置にないことすなわち移動位置にあることが検出されるもしくは、ステップ２００３において、前記開閉扉９の電子ロック機構６が開錠状態であることが検出された場合には、ステップ２００６において、前記判定回路が異常と判定し、ステップ２００７において、異常報知が開始されるとともに、ステップ２００８において、遊技球の発射を阻止する制御が開始される。
【００７５】
次にステップ２００９において、従業員により遊技盤に配設された釘の不正操作および制御基板への不正改造への処置がなされた後、前記開閉扉９の鍵のロック位置検出センサー５において施錠が検知されると、ステップ２０１０において、前記判定回路としての前記マイクロコンピュータ８０からの復帰駆動指令により前記復帰駆動手段３が作動し、前記移動部材１が定位置に復帰する（前記移動部材１が定位置にある場合は現状が維持される）。
【００７６】
次にステップ２０１１において、前記解除スイッチ１１０が操作されると、ステップ２０１２において、開錠状態にある前記開閉扉９の電子ロック機構６が前記ソレノイド６２の磁気駆動力により施錠される（前記開閉扉９の電子ロック機構６が施錠状態にある場合は現状が維持される）。
【００７７】
続いてステップ２０１３において、異常報知が解除されるとともに、ステップ２０１４において、遊技球の発射を阻止する制御が解除されることにより、ステップ２００５において、遊技開始可能状態となる。
【００７８】
本第１実施例の遊技機においては、異常報知および遊技の開始阻止制御の解除方法の一例として前記解除スイッチ１１０を用いたが、以下に説明する電源切換検出手段を用いたもの、またはタイマー回路を用いたものでもよく、さらには前記解除スイッチ１１０または前記電源切換検出手段または前記タイマー回路を組み合わせた変形例を採用することも可能である。
【００７９】
最初に、異常報知および遊技の開始阻止制御の解除方法として電源切換検出手段を用いたものは図１３ブロック図に示されるように電源切換スイッチからの出力をメイン基板ＣＰＵ の電源切換判定制御により該電源切換が所定の条件を満たしているかを判定し、該電源切換が所定の条件を満たしている場合には異常報知および遊技の開始阻止制御を解除するものである。
【００８０】
本第１実施例の遊技機においては、異常報知および異常報知後における遊技の開始阻止制御のその他の解除方法として、電源が切断される時刻から次に電源が投入される時刻が１０秒以内であった場合に、異常報知および遊技の開始阻止制御を解除する例として、図１４および図１５を用いて説明する。
【００８１】
前記電源切換判定制御は、図１４の制御ブロックに示されるように電源切換スイッチからの出力を微分回路を介すことにより、電源投入信号パルスと電源切断信号パルスを抽出する。次に、タイマー回路により前記電源切断信号パルスの立ち上がりから１０秒間で立ち下がる矩形波パルスを出力し、前記電源の再投入信号パルスと前記１０秒間の矩形波パルスとをＡＮＤ 回路に入力することにより、アンド論理が成立する場合には、異常報知後の遊技の開始阻止制御を解除するものである。
【００８２】
図１５に示されるタイムチャートに沿って説明すると、上述の報知により特定遊技台の不正開放をホール従業員が確認して、必要な処置を行った後、時刻ｔ１において遊技機に投入されていた電源が切断され時刻ｔ２において電源を再投入する。ここで時刻ｔ１では電源切断信号パルスとともに、時刻ｔ１における電源の切断により立ち上がる１０秒間のパルスが出力され、時刻ｔ２において電源再投入信号パルスが出力されると、該電源の切断時刻ｔ１から１０秒以内の時刻ｔ２に再び電源を投入することにより時刻ｔ２において前記電源投入信号パルスと前記１０秒間のパルスが同時に出力され、アンド論理が成立することとなり、不正開放による異常報知および遊技の開始阻止制御を解除する条件となるＡＮＤ出力が抽出される。
【００８３】
以下においては、電源切断時に不正開放され、電源投入時に不正開放による異常を検知し該異常検知による異常報知および遊技の開始阻止制御を電源切換検出手段を用いて解除するまでの流れを図１６に示されるフローチャートを用いて説明する。なお、前記電源切換検出手段の出力により前記復帰駆動手段３が作動することにより前記移動部材１が定位置に戻る例として示す。
【００８４】
最初に、ステップ３００１において、翌朝開店前に遊技機の電源が投入され、ステップ３００２において、前記移動部材１が定位置にあるかないかを前記位置検出センサー２によって検出し、定位置にある場合はステップ３００３において、前記開閉扉９の電子ロック機構６が施錠状態か開錠状態かを前記電子ロック機構６のロック状態を検知する電子ロック検知手段７において検出する。
【００８５】
ステップ３００２において、前記移動部材１が定位置にあることが検出され、かつステップ３００３において、前記開閉扉９の電子ロック６が施錠状態であることが検出される場合は、ステップ３００４において、前記判定回路が正常判定し、ステップ３００５において、遊技開始可能状態となる。
【００８６】
ステップ３００２において、前記移動部材１が定位置にないすなわち移動位置にあることが検出されるもしくは、ステップ３００３において、前記開閉扉９の電子ロック６が開錠状態であることが検出された場合には、ステップ３００６において、前記判定回路が異常判定し、ステップ３００７において異常報知が開始されるとともに、ステップ３００８において、遊技球の発射を阻止する制御が開始される。
【００８７】
次にステップ３００９において、電源が切断され、ステップ３０１０において、電源が再び投入されると、ステップ３０１１において、該ステップ３０１０における電源再投入がステップ３００９の電源切断から１０秒以内に行なわれたものかどうかを判定し、ステップ３００９の電源切断からステップ３０１０の電源再投入が１０秒以内に行なわれた場合はステップ３０１２へと続き、ステップ３００９の電源切断からステップ３０１０の電源再投入が１０秒以内に行なわれていない場合はステップ３００７へと戻る。
【００８８】
ステップ３０１１において、異常報知および遊技の開始阻止制御を解除するための電源切換の所定条件が満たされると、５秒間が経過した後にステップ３０１２において移動した前記移動部材１が前記復帰駆動手段３により定位置に復帰される（前記移動部材１が定位置にある場合は現状が維持される）とともに、ステップ３０１３において開錠状態にある前記開閉扉９の電子ロック機構６が前記ソレノイド６２の駆動力により施錠される（前記開閉扉９の電子ロック機構６が施錠状態にある場合は現状が維持される）、なお従業員はステップ３０１０の電源投入から５秒以内に前記開閉扉９を閉鎖させる。
続いてステップ３０１４において、異常報知が解除されるとともに、ステップ３０１５において遊技球の発射を阻止する制御が解除されることにより、ステップ３００５において遊技開始可能状態となる。
【００８９】
次に、異常報知および遊技の開始阻止制御の解除方法として前記タイマー回路を用いたものを図１７のブロック図を用いて説明すると、前記位置検出センサー２または前記電子ロック機構６のロック状態を検知する電子ロック検知手段７の出力に応じて前記判定回路において不正開放が検知されると、メイン基板ＣＰＵ において異常判定制御が行なわれ、該異常判定制御からの出力信号により図柄表示装置、スピーカ、装飾ランプ、役物装置またはおよび報知手段９０等によって報知されるとともに、発射ソレノイドをＯＦＦとする信号を出力し、該出力に応じメイン基板ＣＰＵ に備えられたタイマー回路によって１０分間を測定し、上述のように異常報知および遊技の開始阻止制御が作動した後１０分後に前記異常報知および遊技の開始阻止制御を解除する信号が出力されるよう構成されている。
【００９０】
不正開放により異常報知および遊技の開始阻止制御が作動されると、１０分が経過するまでに特定遊技台への不正開放をホール従業員が確認するとともに、１０分経過時には上述の不正開放による異常状態を解除するための信号が人為的操作を必要とすることなく出力される。
【００９１】
以下においては、電源切断時に不正開放され、電源投入時に不正開放による異常を検知し該異常検知による異常報知後の遊技の開始阻止制御をプログラムにより等価的に前記タイマー回路を実現して判断した上で、解除するまでの流れを図１８に示されるフローチャートを用いて説明する。なお、前記タイマー回路の出力により前記復帰駆動手段３が作動することにより前記移動部材１が定位置に戻る例として示す。
【００９２】
最初にステップ４００１において、翌朝開店前に遊技機の電源が投入されると、ステップ４００２において、前記移動部材１が定位置にあるかないかを前記位置検出センサー２において検出し、定位置にある場合はステップ４００３において、前記開閉扉９の電子ロック機構６が施錠状態か開錠状態かを前記電子ロック機構６のロック状態を検知する電子ロック検知手段７において検出する。
【００９３】
ステップ４００２において、前記移動部材１が定位置にあることが検出され、かつステップ４００３において、前記開閉扉９の電子ロック機構６が施錠状態であることが検出される場合は、ステップ４００４において、前記判定回路が正常判定し、ステップ４００５において、遊技開始可能状態となる。
【００９４】
ここでステップ４００２において、前記移動部材１が定位置にないすなわち移動位置にあることが検出される、もしくはステップ４００３において、前記開閉扉９の電子ロック機構６が開錠状態であることが検出された場合には、ステップ４００６において、前記判定回路が異常判定し、ステップ４００７において異常報知が開始されるとともに、ステップ４００８において、遊技球の発射を阻止する制御が開始される。
【００９５】
ステップ４００９において、ステップ４００６の前記判定回路においての異常判定時刻から１０分経過したかを判断し、１０分未経過の場合はステップ４００７に戻り、１０分経過が判断されると、ステップ４０１０において、移動した前記移動部材１が前記復帰駆動手段３により定位置に復帰される（前記移動部材１が定位置にある場合は現状が維持される）とともに、ステップ４０１１において、開錠状態にある前記開閉扉９の電子ロック機構６が前記ソレノイド６２の磁気駆動力により施錠される（前記開閉扉９の電子ロック機構６が施錠状態にある場合は現状が維持される）。
【００９６】
続いてステップ４０１２において、異常報知が解除されるとともに、ステップ４０１３において、遊技球の発射を阻止する制御が解除されることにより、ステップ４００５において、遊技開始可能状態となる。
【００９７】
上記作用を奏する第１実施例の遊技機は、夜間における前記開閉扉９の開閉動作に付随して動く前記移動部材１の位置を、翌朝電源投入がされた後、前記位置検出センサー２によって、定位置にあるのか、移動した位置にあるのかを検出して、前記位置検出センサー２の出力に基づき判定回路により前記開閉扉９の開閉判定をすることにより、夜間における前記開閉扉９の不正開閉を精確に検知するという効果を奏する。
【００９８】
また本第１実施例の遊技機は、前記判定回路における異常判定制御からの出力信号に基づき、図柄表示装置、スピーカ、装飾ランプまたは役物装置等のいずれかまたは複数を利用した報知手段９０を用いて報知することが出来るので、確実に異常を報知して、遊技盤に配設された釘への操作および制御基板の不正改造に対する処置を可能にするという効果を奏する。
【００９９】
さらに本第１実施例の遊技機は、前記報知手段９０が、前記判定回路において前記移動部材１が定位置にあることを判定した時、前記移動部材１が定位置にあることを報知するので、夜間における前記開閉扉９の不正開閉が無かったことを確実に報知して、遊技盤に配設された釘への操作および制御基板の不正改造に対する処置を不要にするという効果を奏する。
【０１００】
また本第１実施例の遊技機は、翌朝および昼間の電源投入時において前記鍵のロック位置検出センサー５が、前記鍵のロック機構５０のロック状態を検知して出力が出されているときは、前記判定回路が、前記位置検出センサー２の出力とともに参照して、夜間前記開閉扉９の不正開放が行われたことを判定するとともに前記移動部材１が移動していると判定された場合には前記復帰駆動手段３に復帰駆動指令を出力するので、翌朝電源投入時において前記移動部材１を確実に定位置に復帰させて新たな不正開放を検知できるようにするとともに、昼間の営業時間中の従業員が行う遊技機の前記開閉扉９の開閉動作を伴う点検業務を円滑なものとするという効果を奏する。
【０１０１】
なお、本第１実施例の遊技機は、仮に位置検出センサー２が壊れて、前記移動部材１の移動を検知出来ない場合でも、前記開閉扉９の鍵のロック位置検出センサー５が前記鍵のロック機構５０の開錠を検知している場合には、前記判定回路によって不正開放があったと判定することが出来る。
【０１０２】
また本第１実施例の遊技機は、電源が切断された閉店後において、何者かによって、前記開閉扉９が不正に開放されると、前記開閉扉９の開放により前記押圧部材１６の前記先端部１６１が揺動し、移動部材としての前記矩形部材１５を図２および図３中右方に退避させ、該矩形部材１５に押圧され撓み変形した前記略ノの字状の接触部材２１が前記接点部材に当接することによって、前記位置検出センサー２をＯＮ状態とするものであるため、夜間の電源切断時においても、前記開閉扉９の不正開閉を確実に検知することが出来るという効果を奏する。
【０１０３】
さらに本第１実施例の遊技機は、前記移動機構１０の前記両端部材１２に配設された前記磁気を帯びた部材１６Ｍが、図３（ａ）に示されるように前記開閉扉９が開放された際に前記押圧部材１６の揺動により、退避接近してきた前記矩形部材１５を前記両端部材１２へ磁気吸着力により誘引するので、前記移動機構１０の移動を確実なものとするとともに、前記開閉扉９の閉鎖時において、前記開閉扉９に配設された前記押圧部材１６の前記先端部１６１と前記矩形部材１５の一方の面１５１との間に一定の間隔を確保して、干渉を回避することにより前記開閉扉９の閉鎖動作を円滑なものにするという効果を奏する。
【０１０４】
また本第１実施例の遊技機は、前記解除スイッチ１１０、電源切断検出手段およびまたはタイマー回路を用いて上述の所定の条件を満たした時は、上述のロック位置検出センサー５が壊れて、前記鍵のロック機構５０の施錠を検知する出力が出されていない場合には、前記復帰駆動手段３に作動信号を出力して、復帰駆動手段３により移動した前記移動部材１を定位置に復帰させるため夜間における前記開閉扉９の不正開閉を精確に検知するとともに、翌朝電源投入後に遊技盤に配設された釘への不正操作および制御基板の不正改造に対する処置を可能にして、新たな不正開放が検知出来るように前記移動部材１を定位置に復帰させるという効果を奏する。
【０１０５】
また本第１実施例の遊技機は、異常判定制御からの出力信号に基づき、上述のように報知するとともに、発射ソレノイドをＯＦＦとする信号を出力して、遊技球の発射阻止を可能にするという効果を奏する。
【０１０６】
さらに本第１実施例の遊技機は、上述の前記移動機構１０と前記位置検出センサー２と前記復帰駆動手段３が、図２に示されるように前記押圧部材１６との干渉を回避するための矩形状の開口部が一部に形成された直方体状の包囲部材１０９によって包囲され、前記矩形部材１５の位置、前記押圧検知センサー２２の状態および手動操作部３４の位置が外部から見えないように構成されているので、夜間における前記開閉扉９の不正開閉の検知を回避するために、前記開閉扉９の開閉動作に付随して移動した前記移動部材１の位置を定位置に戻すことを不可能にするという効果を奏する。
【０１０７】
さらに本第１実施例の遊技機においては、前記解除スイッチ１１０からの信号に基づき、上述の異常報知および遊技の開始阻止制御を簡単且つ確実に解除することが出来るという効果を奏する。
【０１０８】
また本第１実施例の遊技機においては、前記解除スイッチ１１０を用いることなく上述の電源切換検出手段を用いることにより、上述の異常報知および遊技の開始阻止制御を簡単且つ確実に解除することが出来るという効果を奏する。
【０１０９】
また本第１実施例の遊技機においては、上述の制御基板の不正改造に対する処置を行なうのに必要な時間を綱領した例えば１０分に設定された等価的なタイマー回路を用いることにより、ホール従業員の前記解除スイッチ１１０その外の何らの操作を必要とすることなく、上述の異常報知および遊技の開始阻止制御を簡単且つ確実に解除することが出来るという効果を奏する。
【実施例２】
【０１１０】
本第２実施例のパチンコ遊技機は、図１９に示されるように外枠１０１および該外枠に対してヒンジ部１０２を介して開閉自在に配設された遊技盤本体２００に配設され、遊技盤本体２００の閉鎖動作に付随して移動する移動機構を用いる点が、上述の第１実施例との主な相違点であり、以下相違点を中心に説明する。
【０１１１】
前記移動機構（移動部材）は、図２０ないし図２３に示されるように前記遊技盤本体２００の開放動作に応じて移動する第１の移動部材２１１と、前記遊技盤本体２００の閉鎖動作に応じて移動する第２の移動部材２１２とから成る。
【０１１２】
本第２実施例のパチンコ遊技機は、図１９ないし図２３に示されるように前記第２の移動部材２１２の位置を検出するための位置検出センサーと、前記遊技盤本体２００の開放動作に応じて移動した前記第１の移動部材２１１の位置を復帰させる復帰駆動手段２０３と、前記遊技盤本体２００の開閉を検知する扉開閉検知手段４と、前記開閉扉９に配設された鍵のロック機構５０の開施錠を検知して、前記復帰駆動手段２０３に駆動指令を出力するための遊技盤本体２００の鍵のロック位置検出センサー５と、これらの検出センサーおよび検知手段からの入力情報に応じて営業時間中の正当な遊技盤本体２００の開閉かまたは営業時間外の不正な遊技盤本体２００の開閉かを判定する判定開路２０８とを備えており、上述の第１実施例と同様の構成より成る部分においては同一の符号を用いて、説明を省略する。
【０１１３】
前記移動機構は、図２０ないし図２３に示されるように、前記開閉扉９および遊技盤本体２００を揺動自在に支持する前記ヒンジ部１０２側の遊技盤本体２００の円筒状凹部に前記枠体１０１の内側壁に対向して介挿されている。
【０１１４】
前記第１の移動部材２１１は、位置検出センサー用の貫通孔２１１２および第２の移動部材２１２を係止するための内方に突出したフランジ部２１１３が形成された径の大きな中空筒状の大径部２１１１と、右端２１１４を付勢手段としてのコイルスプリング２１１５が図中左方に付勢する径の小さな中実筒状の小径部２１１６とから成る略Ｙ字状の部材より成る。
【０１１５】
前記第２の移動部材２１２は、前記遊技盤本体２００の円筒状凹部内に介挿される有底中空円筒状の先端部２１２１と、前記フランジ部２１１３と係合する係止部２１２２と、前記先端部２１２１と係止部２１２２とを連結するとともに、位置検出センサー用の孔２１２５が形成された連結部２１２３と、前記先端部２１２１の内底面と前記第１の移動部材２１１のフランジ部２１１３との間に介挿され、前記先端部２１２１を図中左方に突出させる付勢手段としてのコイルスプリング２１２４とから成る略Ｔ字状の部材より成る。
【０１１６】
係止部材２１３が、前記遊技盤本体２００の円筒状凹部に半径方向に穿設された穴部に、半径方向内方に付勢する付勢手段としてのコイルスプリング２１３１とともに介挿され、前記第１の移動部材２１１が、前記遊技盤本体２００が開放され前記遊技盤本体２００の円筒状凹部内において図中左端位置まで前記大径部２１１１が移動した時、突出して前記大径部２１１１のコーナー部に係合して係止されるように構成されている。
【０１１７】
前記第２の移動部材２１２は、その前記コイルスプリング２１２４のバネ定数が、前記遊技盤本体２００が開放された後再び閉鎖された時前記先端部２１２１を介して前記コイルスプリング２１２４は圧縮されるが、前記コイルスプリング２１３１の付勢力により前記大径部２１１１のコーナー部に係合して係止している前記係止部材２１３の係止関係を解除しないように設定されており、前記遊技盤本体２００の閉鎖に伴い前記第１の移動部材２１１を移動させることなく、前記第２の移動部材２１２のみを独立して移動させて後退するように構成されている。
【０１１８】
前記位置検出センサーは、図２０ないし図２３に示されるように前記遊技盤本体２００の前後方向において前記遊技盤本体２００と一定距離離して配設されたフォトセンサー発光部２２１、前記フォトセンサー発光部２２１より導かれた光を感知するフォトセンサー受光部２２２とにより構成されている。
【０１１９】
また、前記位置検出センサーは、図２０ないし図２３に示されるように前記遊技盤本体２００の前記枠体１０１に当接するｄ１の位置に対して前記遊技盤本体２００の左右方向におけるｄ２の位置に配設され、図２１に示されるように前記遊技盤本体２００の開放動作に伴い前記第１の移動部材２１１の前記貫通孔２１１２が左右方向におけるｄ２の位置に移動し、図２２に示されるように前記遊技盤本体２００の閉鎖動作に伴い前記第２の移動部材２１２の前記連結部２１２３の貫通孔２１２５が左右方向におけるｄ２の位置に移動することにより前記貫通孔２１１２および貫通孔２１２５を介して前記フォトセンサー発光部２２１より導かれた光を前記フォトセンサー受光部２２２が感知することにより、前記遊技盤本体２００の閉鎖が検知される。
【０１２０】
前記復帰駆動手段２０３は、図２０ないし図２３に示されるように前記遊技盤本体２００の左右方向において前記第１の移動部材２１１に対して一定距離離して配設され、前記第１の移動部材２１１および前記第２の移動部材２１２の駆動源となる閉店前に電源が投入された後、営業時間外の不正な遊技盤本体２００の開閉および制御基板の不正改造が行われたと判定回路により判定されると駆動されるソレノイド２３１により構成されている。
【０１２１】
前記扉開閉検知手段４は、前記枠体１０１側面に配設され、前記遊技盤本体２００の閉鎖状態を検知可能なように構成され、基本構成が上述の第１実施例における前記扉開閉検知手段４と同一であるため説明を省略する。
【０１２２】
前記遊技盤本体２００の鍵のロック位置検出センサー５は、前記開閉扉９の鍵のロック位置検出センサー５が前記枠体１０１の後方、前記開閉扉９の前記ヒンジ部１０２と逆側に前記係合部材５６と一定距離離して対向配設され、前記遊技盤本体２００の施錠状態を検知可能なように構成され、基本構成が上述の第１実施例における前記開閉扉９の鍵のロック位置検出センサー５と同様の構成より成るものであるため、説明を省略する。
【０１２３】
上記構成より成る本第２実施例の遊技機における前記遊技盤本体２００の不正閉鎖検知の大略の流れを以下で説明する。
【０１２４】
最初に本第２実施例のパチンコ遊技機において電源が供給された営業時間中には図７（ａ）に示されるように前記遊技盤本体２００の鍵が開錠されると、前記遊技盤本体２００の鍵のロック位置検出センサー５においてＯＦＦ検知される。次に図６（ａ）に示されるように前記遊技盤本体２００が開放されると前記扉開閉検知手段４においてＯＦＦ検知されるとともに図２１に示されるように前記第１の移動部材２１１および第２の移動部材２１２が前記遊技盤本体２００内における図中左方向に移動する。
【０１２５】
続いて前記遊技盤本体２００が閉鎖されると、図２２に示されるように前記第１の移動部材２１１は前記係止部材２１３の係止により一定位置に維持されるとともに、前記第２の移動部材２１２は前記遊技盤本体２００の左右方向における右方向に退避されるので、前記位置検出センサーにおいてＯＮ検知されるとともに、図６（ｂ）に示されるように前記扉開閉検知手段４においてＯＮ検知され、該扉開閉検知手段４におけるＯＮ検知を契機として図２３に示されるように復帰駆動手段２０３が作動し前記第１の移動部材２１１または前記第２の移動部材２１２が定位置に戻り前記位置検出センサーのフォトセンサー受光部２２２によってＯＦＦ検知される。続いて図７（ｂ）に示されるように前記遊技盤本体２００の鍵が施錠されると前記遊技盤本体２００の鍵のロック位置検出センサー５によってＯＮ検知される。
【０１２６】
次に本第２実施例のパチンコ遊技機において電源が供給されていない営業時間外においては前記遊技盤本体２００の鍵が開錠されても、電源が供給されていないため前記遊技盤本体２００の鍵のロック位置検出センサー５は図７（ａ）に示されるようなＯＦＦ状態となるがＯＦＦ検知はされず、前記遊技盤本体２００が不正開放されると、前記扉開閉検知手段４は図６（ｂ）に示されるようなＯＦＦ状態となるとともに、前記第１の移動部材２１１および前記第２の移動部材２１２が、図２１に示されるように前記遊技盤本体２００の左右方向左方に移動する。
【０１２７】
続いて前記遊技盤本体２００が閉鎖されると図２２に示されるように前記第１の移動部材２１１は前記係止部材２１３の係止により一定位置に維持されるとともに、第２の移動部材２１２は前記遊技盤本体２００の左右方向右方に退避されるので、前記位置検出センサーによって検知可能な状態となるとともに、前記扉開閉検知手段４は図６（ｂ）に示されるようにＯＮ状態となるが、電源が供給されていないため前記復帰駆動手段２０３が作動しないため、前記第１の移動部材２１１および前記第２の移動部材２１２は図２２に示されるように移動した場所にとどまり前記位置検出センサーは検知可能な状態を維持する。続いて、前記遊技盤本体２００の鍵が施錠されると前記遊技盤本体２００の鍵のロック位置検出センサー５は図７（ｂ）に示されるようなＯＮ状態となる。
【０１２８】
上述したように前記遊技盤本体２００が不正に開放されその後閉鎖されると前記第２の移動部材２１２が退避することにより、図２２に示されるように前記位置検出センサーによって検知可能な状態となっているので、翌朝電源供給が切断されていたパチンコ遊技機に、開店前に電源が投入されると前記位置検出センサーの前記フォトセンサー受光部２２２によって受光検知される。
【０１２９】
正当な手順でパチンコ遊技機への電源が切断され、不正開放されることなく再度電源が投入された場合は、前記位置検出センサーによって検知可能な状態となっていないため、前記フォトセンサー受光部２２２によって受光出力に基づき、前記判定回路によって営業時間外における不正開放の可能性を判定し、パチンコ遊技機に備えられた報知手段９０によって報知するための信号を出力する。なお、異常報知がなされ従業員により遊技盤に配設された釘の不正操作および制御基板への不正改造への処置がなされた後、前記開閉扉９の鍵のロック機構５０において施錠動作されるとともに、前記開閉扉９の鍵のロック位置検出センサー５において施錠が検知されると、前記判定回路からの復帰駆動指令に基づき前記復帰駆動手段２０３が作動し、前記移動部材が定位置に戻り前記位置検出センサーにおいてＯＦＦ検知される。なお、不正閉鎖による異常報知の解除方法としては第１実施例に記載したタイマー回路を用いる。
【０１３０】
上記作用を奏する本第２実施例のパチンコ遊技機は、電源が切断された閉店後において、何者かによって、前記遊技盤本体２００が不正に開放されると、前記遊技盤本体２００の閉鎖により前記第２の移動部材２１２が図中左右方向における右方に移動して退避することにより、翌朝電源投入後に前記位置検出センサーのフォトセンサー受光部２２２によって受光検知されるものであるため、夜間の電源切断時における前記遊技盤本体２００の不正開閉を、非接触で確実に検知することが出来るという効果を奏する。
【０１３１】
また本第２実施例の遊技機は、前記判定回路における異常判定制御からの出力信号に基づき、前記報知手段９０を用いて報知することが出来るので、確実に異常を報知して、遊技盤に配設された釘への操作および制御基板の不正改造に対する処置を可能にするという効果を奏する。
【０１３２】
さらに本第２実施例の遊技機は、前記報知手段９０が、前記判定回路において前記移動部材１が定位置にあることを判定した時、前記移動部材１が定位置にあることを報知するので、夜間における前記開閉扉９の不正開閉が無かったことを確実に報知して、遊技盤に配設された釘への操作および制御基板の不正改造に対する処置を不要にするという効果を奏する。
【０１３３】
また本第２実施例の遊技機は、翌朝および昼間の電源投入時において前記鍵のロック位置検出センサー５が、前記鍵機構の施錠を検知して出力が出されているときは、前記判定回路が、前記移動部材が移動している場合には前記復帰駆動手段２０３に復帰駆動指令を出力するので、翌朝電源投入時において前記移動部材を確実に定位置に復帰させて不正開放を検知できるようにするとともに、昼間の営業時間中には前記扉開閉検知手段４が、前記開閉扉９の閉鎖を検知して前記復帰駆動手段２０３に復帰駆動指令を出力するので、昼間の営業時間中に従業員が行う遊技機の前記開閉扉９の開閉動作を伴う点検業務を円滑なものとするという効果を奏する。
【０１３４】
さらに、本第２実施例のパチンコ遊技機は、夜間における前記遊技盤本体２００の閉鎖動作に応じて移動した前記移動部材の位置を、翌朝電源投入がされた後、前記位置検出センサーによって、定位置にあるのか、移動した位置にあるのかを検出して、前記位置検出センサーの出力に基づき判定回路により遊技盤本体２００の閉鎖判定をするので、かかる判定に基づき遊技盤に配設された釘への操作および制御基板の不正改造に対する処置を可能するという効果を奏する。
【０１３５】
また、本第２実施例のパチンコ遊技機は、図２０ないし図２３に示されるように前記移動機構および前記復帰駆動手段２０３が、前記開閉扉９および遊技盤本体２００を揺動自在に支持する前記ヒンジ部１０２側の遊技盤本体２００の円筒状凹部に前記枠体１０１の内側壁に対向して介挿されているので、前記第１実施例のような前記包囲部材１０９を用いるまでもなく不可視な構造とすることにより、不正開閉をした者の不正開閉検知を回避するための操作を阻止できるという効果を奏する。
【０１３６】
さらに、本第２実施例の遊技機においては、第１実施例で説明したタイマー回路を用いることにより、ホール従業員の前記解除スイッチ１１０その外の何らの操作を必要とすることなく、上述の異常報知を簡単且つ確実に解除することが出来るという効果を奏する。
【実施例３】
【０１３７】
本第３実施例のパチンコ遊技機は、図２４ないし図２７に示されるように前記開閉扉９の鍵の開錠動作に付随して移動する移動部材３０１と、前記移動部材の位置を検出するための位置検出センサー３０２と、移動された前記移動部材３０１の位置を定位置に復帰させる復帰駆動手段３０３と、前記開閉扉９の開閉を検知する前記扉開閉検知手段４と、前記開閉扉９に配設された鍵のロック機構５０の開施錠を検知して、前記復帰駆動手段３０３の復帰動作を可能にするための開閉扉９の鍵のロック位置検出センサー５と、これらの検出センサーおよび検知手段からの入力情報に応じて営業時間中の正当な開閉扉９の鍵のロック機構５０の開錠かまたは営業時間外の不正な開閉扉９の鍵のロック機構５０の開錠かを判定する判定回路とを備えている。以下では、第１実施例ないし第２実施例との相違点を中心に説明し、同一部分には同一符号を付し説明を省略する。
【０１３８】
移動部材３０１を構成する移動機構は、図２４ないし図２７に示されるように、前記鍵ロック機構５０の回転軸５５と一体的に配設されたロック部材５６の後方（図中前方）に一体的に配設され先端に歯部３１２が形成された回転部材３１１と、前記枠体１０１に回転自在に支持された支持軸３１３に配設され前記回転部材３１１の前記歯部３１２と噛み合う歯部を備えた歯車３１４と、前記支持軸３１３に配設され前記支持軸３１３が時計方向に回転したときのみ時計方向に回転する前記移動部材３０１としての外歯車３１８を備えた一方向歯車３１５とから成る。
【０１３９】
前記一方向歯車３１５は、前記支持軸３１３と一体的に形成され鋸歯状の歯部を備えた内歯車３１６と、前記内歯車３１６の鋸歯状の歯部に係合する係合片３１７と、内周面に係合片３１７を介挿する凹部３１８１が形成された前記外歯車３１８とから成り、ロック部材５６および回転部材３１１が図中反時計方向に回転して鍵の開錠動作が行われる時は、内歯車３１６が時計方向に回転して前記係合片３１７が内歯車の鋸歯状の歯部に係合するので、前記係合片３１７を介して前記外歯車３１８が時計方向に回転する。
【０１４０】
前記ロック部材５６および前記回転部材３１１が図中時計方向に回転して鍵の施錠動作が行われる時は、内歯車３１６が反時計方向に回転すると内歯車３１６の鋸歯状の歯部の突起部が接触する度に前記係合片３１７が前記凹部内で外方に移動して係合を回避するので、前記係合片３１７が内歯車３１６の鋸歯状の歯部に係合しないため、前記外歯車３１８が反時計方向に回転することはなく、静止している。
【０１４１】
鍵の開錠が行われる時は、前記外歯車３１８が時計方向に回転するが、鍵の施錠動作が行われる時は、前記外歯車３１８が静止しており、前記外歯車３１８が反時計方向に回転することはないので、前記外歯車３１８が時計方向の回転を検知することにより、鍵の開錠動作が行われたことを検知することが出来るのである。
【０１４２】
前記位置検出センサー３０２は、図２４ないし図２７に示されるように前記枠体１０１に配設された高さ調整用のスペーサー部材３２０と、一端が前記スペーサー部材３２０の一端に固着されたバネ材より成る薄板矩形状の揺動部材３２１と、前記揺動部材３２１の他端に回転自在に配設されたローラ状部材３２２とから成り、前記鍵操作部５４によって開錠前施錠状態にあるとき前記先端部を延長した手動操作部３１９との接触により前記ローラ状部材３２２が押圧され図中下方に退避されているので、前記ローラ状部材３２２を一端に支持する前記揺動部材３２１が前記一端を中心として図中時計方向に揺動しており、前記鍵操作部５４によって開錠動作される前の状態においては図２４に示されるように図中下方に突出して、前記揺動部材３２１と非接触の接点部材３２３が図中時計方向に揺動した前記揺動部材３２１に接触して図中下方へ押圧され、前記鍵のロック機構５０が施錠されていることを検知するように構成されている。
【０１４３】
前記復帰駆動手段３０３は、図２４ないし図２７に示されるように前記先端部を延長した手動操作部３１９を手動で回転操作するための手動操作部３１９により構成されている。
【０１４４】
前記扉開閉検知手段４は、上述の実施例と基本構成が同一であるため説明を省略する。
前記開閉扉９の鍵のロック位置検出センサー５は、上述の実施例と基本構成が同一であるため説明を省略する。
【０１４５】
上記構成より成る本第３実施例における前記開閉扉９の不正開放検知の流れを以下で説明する。
最初に本第３実施例のパチンコ遊技機において、電源供給時の営業時間中には図７（ａ）に示されるように前記開閉扉９の鍵が開錠され、次に図６（ａ）および図６（ｃ）に示されるように前記開閉扉９が開放されると、図２５および図２６に示されるように前記移動部材３０１が移動し、前記位置検出センサー３０２によってＯＦＦ検知され、前記扉開閉検知手段４によってＯＦＦ検知されるとともに前記鍵のロック位置検出センサー５によってＯＦＦ検知される。
【０１４６】
すなわち、前記鍵のロック機構５０において開錠動作されると前記歯部３１２および前記回転部材３１１が前記回転軸５５を中心として図中反時計方向に回転することにより、図２５に示されるように前記歯車３１４と前記歯部３１２が噛み合い、回転動作が伝動し前記歯車３１４は図中時計方向に回転し、該歯車３１４と前記支持軸３１３を介し連結された前記内歯車３１６が図中時計方向に回転する。
【０１４７】
ここで上述したように前記内歯車３１６の図中時計方向の回転動作は前記係合片３１７と前記内歯車３１６の鋸歯状の歯部が係合することにより前記外歯車３１８に伝動するので、該外歯車３１８の前記先端部を延長した手動操作部３１９が時計方向に回転することにより、前記先端部を延長した手動操作部３１９により図中下方に押圧されていた前記ローラ状部材３２２が図中上方に退避し、前記ローラ状部材３２２を一端支持する前記揺動部材３２１が他端を中心として図中反時計方向に揺動するので、前記接点部材３２３が前記揺動部材３２１と非接触状態となり前記位置検出センサー３０２がＯＦＦ検知される。
【０１４８】
ここで本第３実施例のパチンコ遊技機では、移動した移動部材３０１を定位置に復帰させるために電気的駆動力を用いず、人為的な操作によって復帰させるため図２４に示されるように復帰駆動手段３０３である前記手動操作部３１９を回転操作することにより、移動部材３０１である前記先端部を延長した手動操作部３１９を有する外歯車３１８が定位置に復帰し前記位置検出センサー３０２によってＯＮ検知させる。
【０１４９】
続いて前記開閉扉９が閉鎖されると図６（ｂ）および図６（ｄ）に示されるように前記扉開閉検知手段４によってＯＮ検知され、図７（ｂ）に示されるように前記開閉扉９の鍵が施錠されると前記開閉扉９の鍵のロック位置検出センサー５によってＯＮ検知されるとともに前記位置検出センサー３０２は図２４に示されるようにＯＮ検知状態を維持する。
【０１５０】
すなわち、前記鍵のロック機構５０において施錠動作されると前記歯部３１２および回転部材３１１が前記回転軸５５を中心として図中時計方向に回転することにより、前記歯車３１４と前記歯部３１２が噛み合い、回転動作が伝動し前記歯車３１４は図中反時計方向に回転し、該歯車３１４と前記支持軸３１３と一体的に形成された前記内歯車３１６が図中反時計方向に回転する。
【０１５１】
ここで上述したように前記内歯車３１６の図中反時計方向の回転動作は、前記係合片３１７が前記内歯車３１６の鋸歯状の歯部に係合しないので前記外歯車３１８は反時計方向に回転することなく、該外歯車３１８は前記鍵のロック機構５０によって施錠動作されても静止状態を維持するので、結果として前記先端部を延長した手動操作部３１９は現状を維持することにより、位置検出センサー３０２はＯＮ検知状態を維持する。
【０１５２】
次に本第３実施例のパチンコ遊技機において電源非供給時の営業時間外には前記開閉扉９の鍵が開錠され、次に図６（ａ）に示されるように前記開閉扉９が開放されると、図２６に示されるように前記移動部材３０１が移動し、前記位置検出センサー３０２によってＯＦＦ状態となり、前記扉開閉検知手段４によってＯＦＦ状態となるとともに前記鍵のロック位置検出センサー５によってＯＦＦ状態となる。
【０１５３】
すなわち、前記鍵のロック機構５０において開錠動作されると前記歯部３１２および回転部材３１１が前記回転軸５５を中心として反時計方向に回転することにより、図２５に示されるように前記歯車３１４と前記歯部３１２が噛み合い、回転動作が連絡され前記歯車３１４は図中時計方向に回転し、該歯車３１４と前記支持軸３１３を介し連結された前記内歯車３１６が図中時計方向に一体的に回転する。
【０１５４】
ここで上述したように前記内歯車３１６の図中時計方向の回転動作は、前記係合片３１７と前記内歯車３１６の鋸歯状の歯部が係合することにより前記外歯車３１８に回転連絡されるので、該外歯車３１８の前記先端部を延長した手動操作部３１９が時計方向に回転することにより、前記先端部を延長した手動操作部３１９により図中下方に押圧されていた前記ローラ状部材３２２が図中上方に退避し、前記ローラ状部材３２２を一端支持する前記揺動部材３２１が他端を中心として図中反時計方向に揺動するので、前記接点部材３２３が前記揺動部材３２１と非接触状態となり前記位置検出センサー３０２がＯＦＦ状態となる。
【０１５５】
続いて前記開閉扉９が閉鎖されると図６（ｂ）および図６（ｄ）に示されるように前記扉開閉検知手段４がＯＮ状態となり、図７（ｂ）に示されるように前記開閉扉９の鍵が施錠されると前記開閉扉９の鍵のロック位置検出センサー５がＯＮ状態となるが前記位置検出センサー３０２は図２７に示されるようにＯＦＦ状態を維持する。
【０１５６】
すなわち、前記鍵のロック機構５０において施錠動作されると前記歯部３１２および回転部材３１１が前記回転軸５５を中心として時計方向に回転することにより、前記歯車３１４と前記歯部３１２が噛み合い、回転動作が伝動し前記歯車３１４は図中反時計方向に回転し、該歯車３１４と前記支持軸３１３を介し連結された前記内歯車３１６が図中反時計方向に一体的に回転する。
【０１５７】
ここで上述したように前記内歯車３１６の図中反時計方向の回転動作は前記係合片３１７が前記内歯車３１６の鋸歯状の歯部に係合しないので前記外歯車３１８は反時計方向に回転することなく、該外歯車３１９は前記鍵のロック機構５０によって施錠動作されても静止状態を維持するので、結果として前記先端部を延長した手動操作部３１９は現状を維持することにより、位置検出センサー３０２はＯＦＦ状態を維持する。
【０１５８】
上記作用を奏する本第３実施例のパチンコ遊技機は、夜間に不正開錠が行われた場合に、翌朝電源が投入されると正当な手順でパチンコ遊技機への電源が切断され、不正開錠されることなく再度電源が投入された場合はＯＮ検知される前記位置検出センサー３０２がＯＦＦ検知されるため、これらの出力に基づき前記判定回路によって営業時間外における不正開錠の可能性が判定され、パチンコ遊技機に備えられた報知手段９０によって報知するための信号を出力するので、夜間における不正開錠を精確に検知するとともに、遊技盤に配設された釘への操作および制御基板の不正改造に対する処理を可能にするという効果を奏する。
【０１５９】
また本第３実施例の遊技機は、前記判定回路における異常判定制御からの出力信号に基づき、前記報知手段９０を用いて報知することが出来るので、確実に異常を報知して、遊技盤に配設された釘への操作および制御基板の不正改造に対する処置を可能にするという効果を奏する。
【０１６０】
なお、本第３実施例においては、前記開閉扉９が開放されていて、前記鍵のロック位置検出センサー５が、前記鍵のロック機構５０の開錠を検知して出力が出されているときは図示しない前記手動操作部３１９の係止機構が解除されるので、前記復帰駆動手段３０３である前記手動操作部３１９を回転操作することにより不正開錠により移動した前記移動部材３０１を元に戻すものである。
【０１６１】
また、本第３実施例のパチンコ遊技機は、前記復帰駆動手段３０３が電気的駆動によるものではなく手動操作によるものであるので、図２４に示されるように前記移動部材３０１または前記位置検出センサー３０２または前記歯車３１４および前記内歯車３１６および前記係合片３１７および前記先端部を延長した手動操作部３１９等を上述の第１実施例と同様の包囲部材１０９により不可視な構造とすることにより、不正開錠をした者の不正開錠検知を回避するための手動操作を阻止できるという効果を奏する。
【０１６２】
また、本第３実施例のパチンコ遊技機は、前記開閉扉９の前記鍵のロック機構５０の開錠を検知して不正開錠を前記判定回路により判定するので、前記開閉扉９の開閉を伴わずに前記開閉扉９の鍵のロック機構５０の開錠により行われる不正行為に対しても検知することが出来るという効果を奏する。
【実施例４】
【０１６３】
本第４実施例のパチンコ遊技機は、図２８ないし図３１に示されるように前記開閉扉９の鍵の施錠動作に付随して移動する移動部材４０１と、前記移動部材４０１の位置を検出するための位置検出センサー４０２と、移動された前記移動部材４０１の位置を定位置に復帰させる復帰駆動手段４０３と、前記開閉扉９の開閉を検知する前記扉開閉検知手段４と、前記開閉扉９に配設された鍵のロック機構５０の開施錠を検知して、前記復帰駆動手段４０３に復帰駆動指令を出力するための開閉扉９の鍵のロック位置検出センサー５と、これらの検出センサーおよび検知手段からの入力情報に応じて営業時間中の正当な鍵機構の施錠かまたは営業時間外の不正な鍵機構の施錠かを判定する判定回路とを備えている。以下では、第１実施例ないし３実施例との相違点を中心に説明し、同一部分には同一の符号を用いて説明を省略する。
【０１６４】
移動機構４１０は、図２８ないし図３１に示されるように、前記鍵ロック機構５０の前記回転軸５５と一体的に配設されたロック部材５６の後方（図中前方）に一体的に配設され先端に歯部４１２が形成された回転部材４１１と、前記枠体１０１に回転自在に支持された支持軸４１３に配設され前記回転部材４１１の前記歯部４１２と噛み合う歯部を備えた歯車４１４と、前記支持軸４１３に配設され前記支持軸４１３が反時計方向に回転したときのみ反時計方向に回転する前記移動部材４０１としての外歯車４１８を備えた一方向歯車４１５とから成る。
【０１６５】
前記一方向歯車４１５は、前記支持軸４１３と一体的に形成され鋸歯状の歯部を備えた内歯車４１６と、前記内歯車４１６の鋸歯状の歯部に係合する係合片４１７と、内周面に係合片４１７を介挿する凹部４１８１が形成された前記外歯車４１８とから成り、ロック部材５６および回転部材４１１が図中時計方向に回転して鍵の施錠動作が行われる時は、前記歯車４１４および内歯車４１６が反時計方向に回転するため、前記係合片４１７が内歯車の鋸歯状の歯部に係合するので、前記係合片４１７を介して前記移動部材４０１としての前記一方向歯車４１５を構成する前記外歯車４１８が反時計方向に回転する。
【０１６６】
鍵の開錠動作が行われる時は、前記内歯車４１６が図中時計方向に回転するとともに、前記係合片４１７が前記凹部４１８１内に侵入して、前記内歯車４１６の鋸歯状の歯部に係合しないので前記外歯車４１８は回転しない。
【０１６７】
前記位置検出センサー４０２は、図２８ないし図３１に示されるように前記枠体１０１の図中前方に配設され、前記枠体１０１に配設されたスペーサー部材４２０と、一端が前記スペーサー部材４２０の一端に固着されたバネ材より成る薄板矩形状の揺動部材４２１と、図２８および図２９に示されるように前記揺動部材４２１の他端に回転自在に配設されたローラ状部材４２２とから成り、前記鍵操作部５４によって施錠動作される前において前記先端部を延長した当接部４１９との接触により前記ローラ状部材４２２が押圧され図中下方に退避しているので、前記ローラ状部材４２２を一端に支持する前記揺動部材４２１が他端を中心として図中時計方向に揺動されているので接点部材４２３が揺動されている前記揺動部材４２１に接触して図中下方へ押圧され、前記鍵のロック機構５０が施錠がされていないことを検知するように構成されている。
【０１６８】
前記復帰駆動手段４０３は図２８ないし図３１に示されるように前記歯車４１４に当接して配設された駆動歯車４３１と復帰駆動電流により前記駆動歯車４３１を作動させるステッピングモーター４３２とから成る。
【０１６９】
前記扉開閉検知手段４は上述の実施例と同様の構成のため説明を省略する。
前記開閉扉９の鍵のロック位置検出センサー５は上述の実施例と同様の構成のため説明を省略する。
【０１７０】
上記構成より成る本第４実施例における前記開閉扉９の不正施錠検知の流れを以下で説明する。
最初に本第４実施例のパチンコ遊技機において電源が供給されている営業時間中には図７（ａ）に示されるように前記開閉扉９の鍵が開錠され、次に図６（ａ）および図６（ｃ）に示されるように前記開閉扉９が開放されると、図２９に示されるように前記移動部材４０１は移動しない、すなわち前記一方向歯車４１５の前記外歯車４１８が回転しないため、前記位置検出センサー４０２はＯＮ検知された状態を維持し前記扉開閉検知手段４によってＯＦＦ検知されるとともに前記鍵のロック位置検出センサー５によってＯＦＦ検知される。
【０１７１】
すなわち、前記鍵のロック機構５０において開錠動作されると前記歯部４１２および回転部材４１１が前記回転軸５５を中心として図中反時計方向に回転することにより、前記歯車４１４と前記歯部４１２が噛み合い、回転動作が伝動し前記歯車４１４は図中時計方向に回転し、該歯車４１４と前記支持軸４１３を介し連結された前記内歯車４１６が図中時計方向に一体となって回転する。
【０１７２】
ここで上述したように前記内歯車４１６の図中時計方向の回転動作は前記係合片４１７が前記内歯車４１６の鋸歯状の歯部に係合しないので、前記外歯車４１８は時計方向に回転することなく静止状態を維持するため、該外歯車４１８の前記先端部を延長した当接部４１９は現状を維持するので、前記先端部を延長した当接部４１９により図中下方に押圧されていた前記ローラ状部材４２２を一端支持する前記揺動部材４２１が他端を中心として図中時計方向に揺動した状態を維持することによって、前記接点部材４２３と前記揺動部材４２１が接触状態を維持することにより前記位置検出センサー４０２がＯＮ検知された状態を維持する。
【０１７３】
続いて前記開閉扉９が閉鎖されると図６（ｂ）および図６（ｄ）に示されるように前記扉開閉検知手段４によってＯＮ検知され、図７（ｂ）に示されるように前記開閉扉９の鍵が施錠されると前記開閉扉９の鍵のロック位置検出センサー５によってＯＮ検知されるとともに前記位置検出センサー４０２は図３１に示されるようにＯＦＦ検知される。
【０１７４】
すなわち、前記鍵のロック機構５０において施錠動作されると前記歯部４１２および回転部材４１１が前記回転軸５５を中心として時計方向に回転することにより、図３０に示されるように前記歯車４１４と前記歯部４１２が噛み合い、回転動作が伝動し前記歯車４１４は図中反時計方向に回転し、該歯車４１４と前記支持軸４１３と一体的に形成された前記内歯車４１６が図中反時計方向に回転する。
【０１７５】
ここで上述したように前記内歯車４１６の図中反時計方向の回転動作は前記係合片４１７と前記内歯車４１６の鋸歯状の歯部が係合することにより前記外歯車４１８に伝動されるので、該外歯車４１８は前記鍵のロック機構５０による施錠動作にともない図中反時計方向に回転し、結果として前記先端部を延長した当接部４１９が図中反時計方向に移動することにより前記当接部４１９により図中下方に押圧されていた前記ローラ状部材４２２が図中上方に退避し、前記ローラ状部材４２２を一端支持する前記揺動部材４２１が他端を中心として図中反時計方向に揺動するので、前記接点部材４２３が前記揺動部材４２１と非接触状態となり前記位置検出センサー４０２がＯＦＦ検知される。
【０１７６】
ここで前記判定回路によって一連の前記鍵のロック機構５０における開施錠および前記開閉扉９における開閉が営業時間中の正当なものと判断された場合には、前記開閉扉９の鍵のロック位置検出センサー５のＯＮ検知信号を契機として復帰駆動手段４０３が作動し、図２８に示されるように前記移動部材４０１が定位置に戻り前記位置検出センサー４０２によってＯＮ検知される。
【０１７７】
すなわち復帰駆動電流により前記ステッピングモーター４３２が作動し、前記駆動歯車４３１を図中時計方向に半回転する駆動力を与えることにより、前記駆動歯車４３１と当接した前記歯車４１４が図中反時計方向に半回転するので、該歯車４１４と前記支持軸４１３を介し連結され一体となって動く前記内歯車４１６が図中反時計方向に半回転する。
【０１７８】
ここで上述したように前記内歯車４１６の図中反時計方向の回転動作は前記係合片４１７と前記内歯車４１６の鋸歯状の歯部が係合することにより前記外歯車４１８へ伝動されるので、該外歯車４１８は復帰駆動手段４０３の作動にともない図中反時計方向に半回転し前記移動部材４０１が定位置に復帰されるので前記位置検出センサー４０２においてＯＮ検知される
【０１７９】
次に本第４実施例のパチンコ遊技機において電源が供給されていない営業時間外には図７（ａ）に示されるように前記開閉扉９の鍵が開錠され、次に図６（ａ）および図６（ｃ）に示されるように前記開閉扉９が開放されると、図２９に示されるように前記移動部材４０１は移動しないため、前記位置検出センサー４０２によってＯＮ状態が維持されるとともに前記扉開閉検知手段４によってＯＦＦ状態となるとともに前記鍵のロック位置検出センサー５によってＯＦＦ状態となる。
【０１８０】
すなわち、前記鍵のロック機構５０において開錠動作されると前記歯部４１２および回転部材４１１が前記回転軸５５を中心として反時計方向に回転することにより、前記歯車４１４と前記歯部４１２が噛み合い、回転動作が伝動し前記歯車４１４は図中時計方向に回転し、該歯車４１４と前記支持軸４１３を介し連結された前記内歯車４１６が図中時計方向に一体的に回転する。
【０１８１】
ここで上述したように前記内歯車４１６の図中時計方向の回転動作は前記係合片４１７が前記内歯車４１６の鋸歯状の歯部に係合しないので前記外歯車４１８への伝動を回避するので、該外歯車４１８の前記先端部を延長した当接部４１９は現状を維持するので、前記先端部を延長した当接部４１９により図中下方に押圧されていた前記ローラ状部材４２２を一端支持する前記揺動部材４２１が他端を中心として図中時計方向に揺動した状態を維持するので、前記接点部材４２３と前記揺動部材４２１が接触状態を維持することにより前記位置検出センサー４０２がＯＮ状態を維持する。
【０１８２】
続いて前記開閉扉９が閉鎖されると図６（ｂ）および図６（ｄ）に示されるように前記扉開閉検知手段４によってＯＮ状態となり、図７（ｂ）に示されるように前記開閉扉９の鍵が施錠されると前記開閉扉９の鍵のロック位置検出センサー５によってＯＮ状態となるとともに前記位置検出センサー４０２は図３１に示されるようにＯＦＦ状態となる。
【０１８３】
すなわち、前記鍵のロック機構５０において施錠動作されると前記歯部４１２および回転部材４１１が前記回転軸５５を中心として時計方向に回転することにより、図３０に示されるように前記歯車４１４と前記歯部４１２が係合し、回転動作が連絡され前記歯車４１４は図中反時計方向に回転し、該歯車４１４と前記支持軸４１３を介し連結された前記内歯車４１６が図中反時計方向に回転する。
【０１８４】
ここで上述したように前記内歯車４１６の図中反時計方向の回転動作は前記係合片４１７と前記内歯車４１６の鋸歯状の歯部が係合することにより前記外歯車４１８に伝動されるので、該外歯車４１８は前記鍵のロック機構５０の施錠動作にともない図中反時計方向に回転し、結果として前記先端部を延長した当接部４１９が図中反時計方向に移動するので前記当接部４１９により図中下方に押圧されていた前記ローラ状部材４２２が図中上方に退避し、前記ローラ状部材４２２を一端支持する前記揺動部材４２１が他端を中心として図中反時計方向に揺動するので、前記接点部材４２３が前記揺動部材４２１と非接触状態となり前記位置検出センサー４０２がＯＦＦ状態となる。
【０１８５】
ここで電源が供給されていない営業時間外では前記判定回路では前記開閉扉９の開閉および前記鍵のロック機構５０の開施錠についての入力情報が得られないため、前記開閉扉９の開閉および前記鍵のロック機構５０の開施錠についての判定はされず、また前記開閉扉９の鍵のロック位置検出センサー５はＯＮ状態であるがＯＮ検知はされないため、当然として前記復帰駆動手段４０３は作動せず、図３１に示されるように前記移動部材４０１は移動した位置を維持し前記位置検出センサー４０２はＯＦＦ状態を維持する。
【０１８６】
上記作用を奏する本第４実施例のパチンコ遊技機は、夜間において不正施錠がなされた場合は、翌朝電源が投入されると正当な手順でパチンコ遊技機への電源が切断され、不正開放されることなく再度電源が投入された場合はＯＮ検知される前記位置検出センサー４０２がＯＦＦ検知されるためこれらの出力に基づき前記判定回路によって営業時間外における不正施錠の可能性を判定し、パチンコ遊技機に備えられた報知手段９０によって報知するための信号を出力するので、夜間における不正施錠を精確に検知するとともに、遊技盤に配設された釘への操作および制御基板の不正改造に対する処理を可能にするという効果を奏する。
【０１８７】
また本第４実施例の遊技機は、前記判定回路における異常判定制御からの出力信号に基づき、前記報知手段９０を用いて報知することが出来るので、確実に異常を報知して、遊技盤に配設された釘への操作および制御基板の不正改造に対する処置を可能にするという効果を奏する。
【０１８８】
なお、異常報知がなされ従業員により遊技盤に配設された釘の不正操作および制御基板への不正改造への処置がなされた後、前記開閉扉９の鍵のロック機構５０において施錠動作されるとともに、前記開閉扉９の鍵のロック位置検出センサー５において施錠が検知されると、前記判定回路からの復帰駆動指令により前記復帰駆動手段４０３が作動し、前記移動部材４０１が定位置に戻り前記位置検出センサー４０２においてＯＦＦ検知される。なお、異常報知の解除方法としては、第１実施例に記載したタイマー回路を用いる。
【０１８９】
また、本第４実施例のパチンコ遊技機では、翌朝および昼間の電源投入時において前記開閉扉９の鍵のロック位置検出センサー５の施錠を検知すると、前記復帰駆動手段４０３に復帰駆動指令を出力するので、翌朝の電源投入時において前記移動部材４０１を確実に定位置に復帰させて新たな不正施錠を検知できるようにするとともに、昼間の営業時間中の従業員が行う遊技機の前記鍵のロック機構５０の開施錠動作を伴う点検業務を円滑なものとするという効果を奏する。
【０１９０】
また、本第４実施例のパチンコ遊技機は、前記開閉扉９の開閉および前記鍵のロック機構５０の施錠を検知して、不正施錠を前記判定回路により判定するので、前記開閉扉９の開閉を伴わずに前記開閉扉９の鍵のロック機構５０の施錠を伴う不正行為に対しても検知することが出来るという効果を奏する。
【実施例５】
【０１９１】
本第５実施例のパチンコ遊技機は、図３２ないし図３６に示されるように前記外枠１０１および該外枠１０１に対して前記ヒンジ部１０２を介して開閉自在に配設された開閉扉９および遊技盤本体５００を備えた遊技機において、前記開閉扉９の開放動作に連動して動く移動部材と、前記移動部材の位置を検出して定位置にあるのか、移動した位置にあるのかを検出する位置検出センサーと、移動した前記移動部材の位置を定位置に復帰させる復帰駆動手段と、前記開閉扉９の開放および閉鎖を検知する扉開閉検知手段４と、前記開閉扉９に配設された鍵のロック機構５０の開施錠を検知して、前記復帰駆動手段に復帰駆動指令を出力するための開閉扉９の鍵のロック位置検出センサー５と、前記位置検出センサーの出力により前記開閉扉９の開閉判定する判定回路とを備えており、以下上述の実施例との相違点を中心に説明し、同一部分には同一の符号を用いて説明を省略する。
【０１９２】
なお、図３６の（ａ），（ｂ），（ｃ）は、図３２および図３５におけるｓ１−ｓ１線、ｓ２−ｓ２線、ｓ３−ｓ３線にそれぞれ沿う断面図である。
【０１９３】
以下、本第５実施例の構成および不正開放検知の流れについて第１実施例ないし第４実施例との相違点を中心に説明する。
【０１９４】
前記移動部材は、図３２ないし図３６に示されるように前記遊技盤本体５００の左右方向に延在配設されたガイドレール５１０に沿って往復動する立方体部材のスライダー５１１の図中左方への移動動作に対して連動して移動する矩形部材５１２と、前記矩形部材５１２と一体となって移動する後述する環状のソレノイド５３１内に介挿されるロッド部材５１３とによって構成される。
【０１９５】
前記スライダー５１１は、前記移動部材としての矩形部材５１２を連係させて移動させるものであって、十字状の横断面形状を有し、下面の左右の径部５１１S によって前記ガイドレール５１０の左右の径部５１０Ｓに当接し、摺動するように構成されるとともに、一端がピン５１４を介して前記開閉扉の一部に回転自在に配設されるとともに他端がピン５１５を介しスライダーの上部に回転自在に配設された矩形板状のリンク部材５１６によって連結されているので、前記開閉扉９の開閉動作に伴い前記ガイドレール５１０に沿って図中左方および右方に移動するように構成されている。
【０１９６】
前記位置検出センサーは、図３２ないし図３５および図３６（ａ）に示される前記遊技盤本体５００に配設された前記ガイドレール５１０の一方の側面５２１に配設された発光ダイオードのような発光装置５２２と、他方の側面５２３に配設された受光ダイオードのような受光検知装置５２４とから成り、前記移動部材としての前記矩形部材５１２が移動前の定位置にあるときは、前記矩形部材５１２が発光装置５２２からの光を遮断し、受光検知装置５２４に光が到達しないように構成されている。
【０１９７】
前記復帰駆動手段は、図３２ないし図３５および図３６（ｃ）に示される前記遊技盤本体５００に配設された前記ガイドレール５１０の一部に配設され、前記矩形部材５１２に一体的に形成された前記ロッド状部材５１３に対して同軸状に配設される環状のソレノイド５３１により構成される。
【０１９８】
前記扉開閉検知手段４は、上述の実施例と同様の構成のため説明を省略する。  前記開閉扉９の鍵のロック位置検出センサー５は、上述の実施例と同様の構成のため説明を省略する。
【０１９９】
上記構成より成る本第５実施例における前記開閉扉９の不正開放検知の流れを以下で説明する。
【０２００】
最初に本第５実施例のパチンコ遊技機において電源が供給された営業時間中において図７（ａ）に示されるように前記開閉扉９の鍵が開錠されると、前記開閉扉９の鍵のロック検知手段５においてＯＦＦ検知される。
【０２０１】
すなわち、前記開閉扉９の鍵のロック位置検出センサー５において鍵が開錠されると前記係合部材５６が反時計方向に回転するので、該係合部材５６の先端部との接触により押圧されていた前記ローラ状部材５１が図中右方に突出するため、前記接点部材５３に当接していた前記揺動部材５２が図中時計方向に揺動して、前記接点部材５３との接触状態が解除され、ＯＦＦ検知される。
【０２０２】
続いて前記開閉扉９が開放されると、前記扉開閉検知手段４によってＯＦＦ検知されるとともに、図３３に示されるように前記移動部材が定位置より移動することにより前記位置検出センサーにおいてＯＮ検知される。
【０２０３】
すなわち前記開閉扉９が図中右方に移動する（図６（ｃ））または時計方向に揺動する（図６（ａ））ので、前記開閉扉９により図中左方に押圧されていた前記ローラ状部材４４が図中右方へ移動し、また前記ローラ状部材４４に連動して動く前記揺動部材４５が反時計方向に揺動し前記接点部材４５４と非接触状態となることにより前記扉開閉検知手段４によってＯＦＦ検知される。
【０２０４】
また、図３３に示されるように前記開閉扉９の開放にともない前記矩形板状のリンク部材５１６およびピン５１５が図中左方に移動するため、前記矩形部材５１２が該ピン５１５において連結され該ピン５１５と連動して前記ガイドレール５１０上を移動する前記スライダー５１１により図中左方へ押圧されることにより図中左方へと連係して移動し、前記断面ｓ１に配設された前記位置検出センサーにおいて前記受光部５２４が前記発光部５２２の光を検知するので、前記位置検出センサーによってＯＮ検知される。
【０２０５】
続いて前記開閉扉９が閉鎖されると図６（ｂ）および図６（ｄ）に示されるように前記扉開閉検知手段４によってＯＮ検知される。
すなわち前記開閉扉９が図中左方に移動する（図６（ｄ））または反時計方向に揺動する（図６（ｂ））ので、前記ローラ状部材４４が前記開閉扉９により図中左方に押圧されるので、前記ローラ状部材４４に連動して動く前記揺動部材４５が時計方向に揺動し前記接点部材４５４と接触状態となることにより前記扉開閉検知手段４によってＯＮ検知される。
【０２０６】
ここで図３４に示されるように前記開閉扉９の閉鎖にともない前記スライダー５１１が前記ガイドレール５１０に沿って図中右方に移動する。これに対して前記矩形部材５１２は、前記スライダー５１１とは独立の別部材であり、前記矩形部材５１２と一体的に移動する前記ロッド部材５１３は図３６（ｂ）に示されるように前記スライダー５１１内部に形成された円筒状の空間において前記スライダー５１１と一定距離を保たれ延在しているので、前記矩形部材５１２は図中左方に移動した位置に静止した状態となるため、前記断面ｓ１に配設された前記位置検出センサー２において前記受光部５２４が前記発光部５２２の光を検知したままであるので、前記位置検出センサー２によってＯＮ検知された状態を維持する。
【０２０７】
続いて、前記開閉扉９が閉鎖されると前記扉開閉検知手段４におけるＯＮ検知を受け、前記判定回路において、該開閉扉９の開閉が電源の供給された営業時間中における正常な開閉であると判定するとともに、前記復帰駆動手段に作動信号を出力することにより前記位置検出センサーにおいてＯＦＦ検知される。
【０２０８】
すなわち、前記復帰駆動手段が復帰駆動電流に基づき前記環状のソレノイド５３１の磁気駆動力により前記ロッド部材５１３を図中右方に誘引することにより、図３５に示されるように前記ロッド部材５１３と連結された前記矩形部材５１２が図中右方へと移動し定位置に復帰するため、前記位置検出センサーにおいて再びＯＦＦ検知される。
【０２０９】
最後に、前記開閉扉９の鍵が施錠されることにより、前記開閉扉９の鍵のロック検知手段５がＯＮ検知される。
【０２１０】
すなわち、前記開閉扉９の鍵ロック位置検出センサー５において鍵が施錠されると前記係合部材５６が時計方向に回転するので、前記ローラ状部材５１が該係合部材５６の先端部に押圧されて図中左方に移動するため、前記ローラ状部材５１と連動して動く前記揺動部材５２が図中反時計方向に揺動して、前記接点部材５３と接触することにより、ＯＮ検知される。
【０２１１】
次に、本第５実施例のパチンコ遊技機において電源が供給されていない営業時間外には前記開閉扉９の不正開放がされると前記扉開閉検知手段４は図６（ａ）および図６（ｃ）に示されるようにＯＦＦ状態となるとともに、前記移動部材が図３３に示されるように図中左方へと移動することにより前記断面ｓ１−ｓ１において前記位置検出センサーがＯＮ状態となる。
【０２１２】
すなわち前記開閉扉９が図中右方に移動する（図６（ｃ））または時計方向に揺動する（図６（ａ））ので、前記開閉扉９により図中左方に押圧されていた前記ローラ状部材４４が図中右方へ移動し、また前記ローラ状部材４４に連動して動く前記揺動部材４５が反時計方向に揺動し前記接点部材４５４と非接触状態となることにより前記扉開閉検知手段４によってＯＦＦ状態となる。
【０２１３】
また、図３３に示されるように前記開閉扉９の開放にともない前記矩形板状のリンク部材５１６およびピン５１５が図中左方に移動するため、前記矩形部材５１２が、該ピン５１５において連結され該ピン５１５と連動して前記ガイドレール５１０上を移動する前記スライダー５１１により図中左方へ押圧されることにより図中左方へと連係して移動し、前記断面ｓ１−ｓ１に配設された前記位置検出センサーにおいて前記受光部５２４と前記発光部５２２の間に光を遮蔽しうる位置に存在した前記矩形部材５１２が退避することにより、前記位置検出センサーによってＯＮ状態となる。
【０２１４】
上記した前記開閉扉９が不正開放される場合は前記開閉扉９の鍵のロック機構５０はなんらかの方法により開錠されるため、前記開閉扉９の鍵のロック位置検出センサー５はＯＦＦ状態となる。
【０２１５】
すなわち、前記開閉扉９の鍵のロック位置検出センサー５において鍵が開錠されると前記係合部材５６が反時計方向に回転するので、該係合部材５６の先端部との接触により押圧されていた前記ローラ状部材５１が図中右方に突出するため、前記接点部材５３に当接していた前記揺動部材５２が図中時計方向に揺動して、前記接点部材５３との接触状態が解除され、ＯＦＦ状態となる。
【０２１６】
続いて前記開閉扉９が閉鎖されると図６（ｂ）および図６（ｄ）に示されるように前記扉開閉検知手段４によってＯＮ状態となる。
すなわち前記開閉扉９が図中左方に移動する（図６（ｄ））または反時計方向に揺動する（図６（ｂ））ので、前記ローラ状部材４４が前記開閉扉９により図中左方に押圧されるので、前記ローラ状部材４４に連動して動く前記揺動部材４５が時計方向に揺動し前記接点部材４５４と接触状態となることにより前記扉開閉検知手段４によってＯＮ状態となる。
【０２１７】
ここで図３４に示されるように前記開閉扉９の閉鎖にともない前記スライダー５１１が前記ガイドレール５１０に沿って図中右方に移動する。これに対して前記矩形部材５１２は前記スライダー５１１とは独立の別部材であり、前記矩形部材５１２と一体的に移動する前記ロッド部材５１３は図３６（ｂ）に示されるように前記スライダー５１１内部に形成された円筒状の空間において前記スライダー５１１と一定距離を保たれ延在しているので、前記矩形部材５１２は図中左方に移動した位置に静止した状態となるため、前記断面ｓ１−ｓ１に配設された前記位置検出センサーにおいて前記受光部５２４が前記発光部５２２の光を検知しうる状態が維持されるので、前記位置検出センサーによってＯＮ状態を維持する。
【０２１８】
ここで、電源が供給された営業時間中においては前記開閉扉９が閉鎖され前記扉開閉検知手段４におけるＯＮ検知を受け、前記判定回路において、該開閉扉９の開閉が電源が供給された営業時間中における正常な開閉であると判定されると、前記復帰駆動手段に作動信号を出力するが、電源が供給されていない営業時間外では前記扉開閉検知手段４におけるＯＮ検知もされないし、結果として前記判定回路から前記復帰駆動手段に出される作動信号も出力されないため前記位置検出センサーはＯＮ状態を維持する。
【０２１９】
すなわち、前記ロッド部材５１３と連結された前記矩形部材５１２は図中左方に移動した位置で維持されるため、前記位置検出センサーにおいては図３４に示されるようにＯＮ状態を維持する。
【０２２０】
ここで、夜間不正開放が行われた場合に、翌朝電源が投入されると、正当な手順でパチンコ遊技機への電源が切断され、不正開放されることなく再度電源が投入された場合はＯＦＦ検知される前記位置検出センサーが前記矩形部材５１２の移動を検出してＯＮ検知されるためこれらの出力に基づき前記判定回路において営業時間外における不正開放の可能性を判定し、パチンコ遊技機に備えられた報知手段９０によって報知する。
【０２２１】
なお、異常報知がなされ従業員により遊技盤に配設された釘の不正操作および制御基板への不正改造への処置がなされた後、前記開閉扉９の鍵のロック機構５０において施錠動作されるとともに、前記開閉扉９の鍵のロック位置検出センサー５において施錠が検知されると前記判定回路からの復帰駆動指令により前記復帰駆動手段が作動し、前記移動部材が定位置に戻り前記位置検出センサーにおいてＯＦＦ検知される。なお、異常報知の解除方法としては、第１実施例に記載したタイマー回路を用いる。
【０２２２】
上記作用を奏する本第５実施例の遊技機は、夜間における前記開閉扉９の開放動作に付随して動く前記移動部材の位置を、翌朝電源が投入された後、前記位置検出センサーによって、定位置にあるのか、移動した位置にあるのかを検出して、前記位置検出センサーの出力に基づき前記判定回路により前記開閉扉９の開閉判定をするとともに、前記開閉扉９の鍵のロック位置検出センサー５が前記鍵のロック機構５０の施錠を検知して出力が出されているときは、前記復帰駆動手段の作動信号を出力して、前記復帰駆動手段により移動した前記移動部材を定位置に復帰させることにより、夜間における前記開閉扉９の不正開放を精確に検知するとともに、翌朝電源投入後に遊技盤に配設された釘への操作および制御基板の不正改造に対する処置を可能にして、前記移動部材を定位置に復帰させるという効果を奏する。
【０２２３】
また、本第５実施例の遊技機は電源が切断された閉店後において、何者かによって、前記開閉扉９が不正に開放されると、前記開閉扉９の開放により前記スライダー５１１が前記遊技盤本体５００の左右方向に延在配設されたガイドレール５１０に沿って左方へ移動し、前記スライダー５１１により左方へ押圧されることにより前記移動部材が左方へと連係して移動し、前記断面ｓ１−ｓ１に配設された前記位置検出センサーをＯＮ状態とするものであるため、夜間の電源切断時においても、前記開閉扉９の不正開閉を確実に検知することができるという効果を奏する。
【０２２４】
さらに本第４実施例の遊技機は、前記判定回路における異常判定制御からの出力信号に基づき、前記報知手段９０を用いて報知することが出来るので、確実に異常を報知して、遊技盤に配設された釘への操作および制御基板の不正改造に対する処置を可能にするという効果を奏する。
【０２２５】
また、上記構成より成る本第５実施例の遊技機は、昼間の電源投入時において前記扉開閉検知手段４が、前記開閉扉９の閉鎖状態を検知してＯＮ検知による出力が出されているときは、前記判定回路が、前記復帰駆動手段に復帰駆動指令を出力するので、電源投入時において前記移動部材を確実に定位置に復帰させ営業時間中の従業員が行う遊技機の前記開閉扉９の開閉動作を伴う点検業務を円滑なものとするという効果を奏する。
【０２２６】
さらに本第５実施例の遊技機は、前記開閉扉の開放動作に付随してガイドレール５１０に沿って移動するスライダーの移動方向により選択的に前記移動部材を移動させるものであるので、安価且つシンプルな構成により、電源切断時における前記開閉扉９の不正開放があったことを確実に報知して、遊技盤に配設された釘への操作および制御基板の不正改造に対する処置を可能にするという効果を奏する。
【実施例６】
【０２２７】
本第６実施例のパチンコ遊技機は、図３７ないし図４２に示されるように外枠１０１および該外枠１０１に対して開閉自在に配設された開閉扉６０９および遊技盤本体６００を備えた遊技機において、前記開閉扉６０９の開放動作に付随して動く移動部材と、前記移動部材の位置を検出して定位置にあるのか、移動した位置にあるのかを検出する位置検出センサーと、移動した前記移動部材の位置を定位置に復帰させる復帰駆動手段と、前記開閉扉６０９の開放および閉鎖を検知する扉開閉検知手段４と、前記開閉扉９に配設された鍵のロック機構５０の開施錠を検知して、前記復帰駆動手段に復帰駆動指令を出力するための開閉扉９の鍵のロック位置検出センサー５と、前記位置検出センサーの出力により前記開閉扉６０９の開閉判定する判定回路を備えている。以下で本第６実施例の構成および不正開放検知の流れについて実施例１ないし実施例５との相違点を中心に説明する。
【０２２８】
前記移動部材は、図３７ないし図４２に示されるように前記遊技盤本体６００の内部の上下方向に形成された移動空間６１１に上下方向に移動可能に配設された矩形部材６１２とから成り、円柱状のロッド部材６１３が前記矩形部材６１２と一体的に形成されている。
【０２２９】
本第６実施例の移動機構６１０は、前記移動部材と、前記開閉扉６０９の裏面において前後方向に突設された突設部材６１４と、図３９に示されるように前記突設部材６１４の先端部に前記突設部材６１４に対してヒンジ部６１５を介して前記矩形部材６１２の図中上方への移動を可能にするために反時計方向上方に揺動自在に形成された略コの字状の揺動部材６１６と、前記略コの字状の揺動部材６１６の前記矩形部材６１２の図中下方への移動を阻止するために時計方向下方への揺動動作を阻止する阻止機構６１７により構成される。
【０２３０】
なお、前記矩形部材６１２の一辺は前記略コの字状の揺動部材６１６の対向間隔L より長く設定され、前記円柱状のロッド部材６１３の直径は前記略コの字状の揺動部材６１６の対向間隔L より短く設定されている。これにより、図３７に示されるような前記開閉扉６０９の開放前閉鎖時には前記略コの字状の揺動部材６１６が前記矩形部材６１２の図中下方への落下を阻止するとともに、図４０に示されるように前記開閉扉６０９の開放後閉鎖時には図中右方へ移動してきた前記略コの字状の揺動部材６１６と前記円柱状のロッド部材６１３との干渉を回避することが可能な構成となっている。
【０２３１】
前記位置検出センサーは、図３７、図３８、図４０および図４１に示されるように前記遊技盤本体６００内部に形成された前記移動空間６１１の下側に、前記矩形部材６１２の一辺以上の距離を離して対向配設された、発光装置６２１および受光検知装置６２２とから成る。
【０２３２】
前記復帰駆動手段は、復帰駆動電流に基づく磁気駆動力により前記円柱状のロッド部材６１３を図中上方へ誘引するソレノイド６３１により構成され、前記ソレノノイド６３１は図３８および図４０に示されるように前記矩形部材６１２および前記円柱状のロッド部材６１３が前記移動空間６１１の下側に落下した際に、前記円柱状のロッド部材６１３の上端が前記ソレノイド６３１の下端より図中上方に存在する位置に配設される。
【０２３３】
前記扉開閉検知手段４は、上記記載の実施例と同様の構成より成るので、説明を省略する。
前記開閉扉６０９の鍵のロック位置検出センサー５は、上記記載の実施例と同様の構成より成るので、説明を省略する。
【０２３４】
上記構成より成る本第６実施例における前記開閉扉９の不正開放検知の流れを以下で説明する。
【０２３５】
最初に本第６実施例のパチンコ遊技機において営業時間中の電源供給時に前記開閉扉６０９が開放されると、前記扉開閉検知手段４によってＯＦＦ検知されるとともに、図３８に示されるように前記移動部材が定位置より落下移動することにより前記位置検出センサーにおいてＯＦＦ検知される。
【０２３６】
すなわち前記開閉扉６０９が図中右方に移動する（図６（ｃ））または時計方向に揺動する（図６（ａ））ので、前記開閉扉６０９により図中左方に押圧されていた前記ローラ状部材４４が図中右方へ移動し、また前記ローラ状部材４４に連動して動く前記揺動部材４５が反時計方向に揺動し前記接点部材４５４と非接触状態となることにより、前記扉開閉検知手段４によってＯＦＦ検知される。
【０２３７】
また、図３８に示されるように前記開閉扉６０９の開放にともない前記突設部材６１４および前記略コの字状の揺動部材６１６が図中左方へ移動するため、該略コの字状の揺動部材６１６に支持されていた前記矩形部材６１２および円柱状のロッド部材６１３が図中下方へと落下することにより、前記発光装置６２１から放出された光を前記矩形部材６１２が遮ることにより前記受光検知装置６２２へと該放出された光を到達することを回避するので前記位置検出センサーにおいてＯＦＦ検知される。
【０２３８】
続いて前記開閉扉６０９が閉鎖されると図６（ｂ）および図６（ｄ）に示されるように前記扉開閉検知手段４によってＯＮ検知される。
【０２３９】
すなわち前記開閉扉６０９が図中左方に移動する（図６（ｄ））または反時計方向に揺動する（図６（ｂ））ので、前記ローラ状部材４４が前記開閉扉９により図中左方に押圧されるので、前記ローラ状部材４４に連動して動く前記揺動部材４５が時計方向に揺動し前記接点部材４５４と接触状態となることにより前記扉開閉検知手段４によってＯＮ検知される。
【０２４０】
続いて、前記開閉扉６０９が閉鎖され前記扉開閉検知手段４におけるＯＮ検知を受け、前記判定回路において、該開閉扉９の開閉が営業時間中（電源供給時）における正常な開閉であると判定され、前記復帰駆動手段に作動信号を出力する。
【０２４１】
すなわち、図４１に示されるように前記復帰駆動手段が復帰駆動電流に基づき前記ソレノイド６３１の磁気駆動力により前記円柱状のロッド部材６１３を図中上方に誘引することにより、前記円柱状のロッド部材６１３と一体的に形成された前記矩形部材６１２が図中上方へと移動するため、前記位置検出センサーにおいて再びＯＮ検知される。
【０２４２】
なお前記ソレノイド６３１の磁気駆動力により前記円柱状のロッド部材６１３と一体となって図中上方へ誘引された前記矩形部材６１２は、前記略コの字状の揺動部材６１６の下端に当接し前記略コの字状の揺動部材６１６を図中上方へ押圧することにより、前記ヒンジ部６１５に支持された略コの字状の揺動部材６１６が反時計方向に揺動することにより、前記矩形部材６１２および円柱状のロッド部材６１３が前記開閉扉６０９の閉鎖時に定位置に復帰することが可能となる。
【０２４３】
次に、本第６実施例のパチンコ遊技機において営業時間外の電源非供給時において前記開閉扉６０９の不正開放がされると、前記扉開閉検知手段４は、図６（ａ）および図６（ｃ）に示されるようにＯＦＦ状態となるとともに、前記移動部材としての前記矩形部材６１２が図３８に示されるように図中下方へ自然落下して移動することにより前記位置検出センサーがＯＦＦ状態となる。
【０２４４】
すなわち前記開閉扉６０９が図中右方に移動する（図６（ｃ））または時計方向に揺動する（図６（ａ））ので、前記開閉扉９により図中左方に押圧されていた前記ローラ状部材４４が図中右方へ移動し、また前記ローラ状部材４４に連動して動く前記揺動部材４５が反時計方向に揺動し前記接点部材４５４と非接触状態となることにより前記扉開閉検知手段４によってＯＦＦ状態となる。
【０２４５】
また、図３８に示されるように前記開閉扉６０９の開放にともない前記矩形部材６１２が載置されていた前記突設部材６１４および前記略コの字状の揺動部材６１６が図中左方へ移動するため、該略コの字状の揺動部材６１６に載置されていた前記矩形部材６１２および円柱状のロッド部材６１３が自重により図中下方へと落下し、前記発光装置６２１から放出された光を遮ることにより前記受光検知装置６２２へと該放出された光が到達することを阻止するので前記位置検出センサーにおいてＯＦＦ状態となる。
【０２４６】
続いて前記開閉扉６０９が閉鎖されると図６（ｂ）および図６（ｄ）に示されるように前記扉開閉検知手段４によってＯＮ状態となる。
【０２４７】
すなわち前記開閉扉６０９が図中左方に移動する（図６（ｄ））または反時計方向に揺動する（図６（ｂ））ので、前記ローラ状部材４４が前記開閉扉６０９により図中左方に押圧されるので、前記ローラ状部材４４に連動して動く前記揺動部材４５が時計方向に揺動し前記接点部材４５４と接触状態となることにより前記扉開閉検知手段４によってＯＮ状態となる。
【０２４８】
ここで、営業時間中の電源供給時においては、前記開閉扉６０９が閉鎖され前記扉開閉検知手段４におけるＯＮ検知を受けると、前記判定回路において該開閉扉６０９の開閉が営業時間中における正常な開閉であると判定され、前記復帰駆動手段に作動信号を出力するが、営業時間外の電源非供給時においては、当然として前記扉開閉検知手段４におけるＯＮ検知もされないし、結果として前記判定回路から前記復帰駆動手段に出される作動信号も出力されない。
【０２４９】
すなわち、前記円柱状のロッド部材６１３および矩形部材６１２は図中下方に落下した位置で維持されるため、前記位置検出センサーにおいては図４０に示されるようにＯＦＦ状態を維持する。
【０２５０】
ここで、翌朝電源が投入されると、正当な手順でパチンコ遊技機への電源が切断され、不正開放されることなく再度電源が投入された場合はＯＮ検知される前記位置検出センサーがＯＦＦ検知されるため、これらの出力に基づき前記判定回路において営業時間外における不正開放の可能性を判定し、パチンコ遊技機に備えられた報知手段９０によって報知する。
【０２５１】
なお、異常報知がなされ従業員により遊技盤に配設された釘の不正操作および制御基板への不正改造への処置がなされた後、前記開閉扉９の鍵のロック機構５０において施錠動作されるとともに、前記開閉扉９の鍵のロック位置検出センサー５において施錠が検知されると、前記判定回路からの復帰駆動指令により前記復帰駆動手段が作動し、前記移動部材が定位置に戻り前記位置検出センサーにおいてＯＮ検知される。なお、異常報知の解除方法としては、第１実施例に記載したタイマー回路を用いる。
【０２５２】
上記作用を奏する本第６実施例の遊技機は、翌朝の電源投入時においては前記鍵のロック位置検出センサー５が、前記鍵のロック機構５０の施錠を検知して出力が出されているときは、前記判定回路が、前記復帰駆動手段に復帰駆動指令を出力するので前記移動部材を確実に定位置に復帰させて新たな不正開放を検知できるようにするとともに、昼間の営業時間中の従業員が行う遊技機の前記開閉扉６０９の開閉動作を伴う点検業務を円滑なものとするという効果を奏する。
【０２５３】
また本第６実施例のパチンコ遊技機は、上述したように前記判定回路における異常判定制御からの出力信号に基づき、営業時間外における不正開放の可能性を判定し、パチンコ遊技機に備えられた報知手段９０によって報知することにより、電源切断時における前記開閉扉６０９の不正開放があったことを確実に報知して、遊技盤に配設された釘への操作および制御基板の不正改造に対する処置を可能にするという効果を奏する。
【０２５４】
また、図３７に示されるように前記移動空間６１１を前記遊技盤本体６００の内部に形成することにより等価的に、前記移動部材および前記位置検出センサーを包囲する包囲構造を構成することにより、前記開閉扉６０９の開放動作に付随して前記移動部材の位置を作為的に定位置に戻すことを不可能にするという効果を奏する。
【０２５５】
さらに本第６実施例の遊技機は、前記開閉扉６０９の開放動作に付随して前記移動部材の自重を利用して落下移動させるものであるので、安価且つシンプルな構成により、電源切断時における前記開閉扉６０９の不正開放があったことを確実に報知して、遊技盤に配設された釘への操作および制御基板の不正改造に対する処置を可能にするという効果を奏する。
【０２５６】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【０２５７】
上述の実施例は、一例としてパチンコ遊技機について説明したが、本発明としてはそれらに限定されるものでは無く、パチンコ遊技機に限らず、外枠および開閉扉を有する回胴式遊技機をはじめその他本発明を適用可能な遊技機等についても適用可能である。
【０２５８】
上述の第１実施例においては一例として開閉扉の開放動作に付随して移動する移動部材と、移動部材の位置を検出する位置検出センサーと、位置検出センサーからの出力に基づき開閉扉の開放を判定する判定回路と、移動部材が定位置にあるのか移動位置にあるのかを報知する報知手段に加え、扉開閉検知手段と鍵のロック機構と、鍵のロック位置検出センサーと、電子ロック機構と、電子ロック検知手段および復帰駆動手段を備えている例について説明したが、本発明としてはそれらに限定されるものではなく、移動部材と位置検出センサーと判定回路と報知手段のみが必須の構成要件であり、その他の構成については必要に応じて適宜組合わせればよい選択的構成要件である。
【０２５９】
また、上述の実施例では復帰駆動手段の作動契機として、一例として扉開閉検知手段、鍵のロック位置検出センサーにおける検知出力、解除スイッチ、電源切換検出手段またはおよびタイマー回路を用いたが、位置検出センサーにおける検知出力のみでも復帰駆動手段の作動契機とする構成としてもよいし、その他本発明の技術構成を満たす範囲内においては適宜選択して用いることができる。
【０２６０】
上述の第１実施例のパチンコ遊技機においては、一例として前記移動部材１の位置を検出するための前記位置検出センサー２として押圧検知センサーを用いた態様を、移動された前記移動部材１の位置を定位置に復帰させる前記復帰駆動手段３としてソレノイドを用いた態様を、前記開閉扉９の開閉を検知する前記扉開閉検知手段４として押圧検知センサーを用いた態様を、前記開閉扉９の鍵のロック位置検出センサー５として押圧検知センサーを用いた態様を、前記開閉扉９の電子ロック機構６としてソレノイドを用いた態様を、前記電子ロック機構６のロック状態を検知する電子ロック検知手段７として押圧検知センサーを用いた態様を採用したが、本発明はこれらに限定されるものではなく前記復帰駆動手段３または前記開閉扉９の電子ロック機構６としてモーター等を用いた態様や、さらには前記開閉扉９の開閉または開閉扉の鍵のロックまたは電子ロック状態または前記移動部材１の位置を検出するのに光学的フォトセンサーの他、磁気的センサーその他の物理的減少を利用した非接触式センセーおよび接触式センサーを用いた態様を採用することが出来る。
【０２６１】
また、第１実施例においては、前記報知手段９０が不正開放が行われたことを報知する不正開放報知状態および不正開放が行われなかったことを報知する正常報知状態を実現したが、不正開放報知状態を実現するのみもしくは正常報知状態を実現するのみの構成としてもよい。
【０２６２】
また、第１実施例における前記タイマー回路においては不正開放による異常状態の自動解除までの時間を一例として１０分後と設定したが、前記異常状態の自動解除までの時間を２０分と設定するもしくは１０分を２０分に延長させるための手段を設けることが出来る。
また、前記タイマー回路を等価的に実現する手段としてサブ基板のＲＴＣを用いた構成とすることも出来る。
【０２６３】
また、前記鍵操作部５４においてレバー操作により前記鍵のロック機構５０の開施錠を実現する構成とすることも出来る。
【０２６４】
また、前記包囲部材は、前記移動部材に加え前記位置検出センサーおよび前記復帰駆動手段等も包囲するように適用可能であり、本発明の効果を実現するにあたり有効的に適宜活用できるものである。
【０２６５】
また、上述の第２実施例のパチンコ遊技機においては一例として、前記位置検出センサーとしてフォトセンサーを用いた態様を、移動された前記第１の移動部材２１１および前記第２の移動部材２１２の位置を定位置に復帰させる前記復帰駆動手段２０３としてソレノイドを用いた態様を、前記開閉扉９の開閉を検知する前記扉開閉検知手段４として押圧検知センサーを用いた態様を、前記開閉扉９の鍵のロック位置検出センサー５として押圧検知センサーを用いた態様を採用したが、本発明としてはこれらの手段の組み合わせに限定されない。
【０２６６】
また、上述の第４実施例に記載したように前記復帰駆動手段４０３としてステッピングモーターを用いたが、該ステッピングモーターを第３実施例に適用することも出来る。
【０２６７】
また上述の第３実施例で記載した包囲部材を、本第４実施例に適用することも出来る。
【０２６８】
また、上述の第５実施例では一例として昼間の電源投入時の前記復帰駆動手段の作動契機を前記扉開閉検知手段４の検知状態としたが、本発明はこれに限定されるものではなく前記復帰駆動手段の作動契機を前記開閉扉９の鍵のロック位置検出センサー５とすることも出来る。
【０２６９】
また、上述の第６実施例では一例として昼間の電源投入時の前記復帰駆動手段の作動契機を前記扉開閉検知手段４の検知状態としたが、本発明はこれに限定されるものではなく前記復帰駆動手段の作動契機を前記開閉扉９の鍵のロック位置検出センサー５とすることも出来る。
【０２７０】
また、上述の第２実施例ないし第６実施例において、第１実施例と同様に不正開放による異常状態を判定した際に前記報知手段９０等により報知することに加え、一定条件が満たされるまでの間は遊技の開始を阻止する制御を加えることも出来る。
【０２７１】
上述の実施例では、図５に示されるように前記解除スイッチが前記開閉扉またはおよび遊技盤本体が閉鎖されている状態においても操作可能な構成としたが、本発明においては前記解除スイッチを前記開閉扉またはおよび遊技盤本体が開放されている状態において操作可能な構成とすることもできる。  なお、前記開閉扉またはおよび遊技盤本体が開放されている状態において前記解除スイッチが操作されると、一例として５秒間が経過した後に前記復帰駆動手段へ復帰駆動指令を出力する構成とすることが可能であり、従業員は前記解除スイッチを操作して５秒以内に前記開閉扉またはおよび遊技盤本体を閉鎖させる。
【０２７２】
また、上述の第２実施例ないし第６実施例において、異常状態を解除する方法として第１実施例で示した解除スイッチまたはおよび電源切換検出手段を用いることも出来る。
【０２７３】
ここで、第１実施例ないし第６実施例における報知の方法については一例としてパチンコ遊技機に備えられた報知手段９０によって報知する例について説明したが、本発明はこれに限定されるものでなくパチンコ遊技機では報知されることなく、ホールの集中管理室または島データ表示装置等によって報知、もしくはこれらの組み合わせによって報知されるものであってもよい。
【０２７４】
上述の実施例においては、一例として第２実施例において前記枠体１０１に対する前記遊技盤本体２００および前記開閉扉９の不正開閉を検知する実施例を記載し、第１実施例、第５実施例、および第６実施例において前記枠体１０１および前記遊技盤本体に対する前記開閉扉の不正開閉を検知する実施例を記載したが、不正開閉を検知する対象を前記遊技盤本体および前記開閉扉とするか、前記開閉扉のみとするかは、上述した不正開閉検知機構の配置を変えることにより容易に実現できるものであり、上述の各実施例においてどちらの不正開閉を検知する構成とするかは選択的事項であるとともに、前記不正開閉検知機構を組み合わせることにより不正開放および不正閉鎖の両方を検知する構成とすることも出来る。
【０２７５】
上述の実施例においては、一例として第３実施例ないし第４実施例において前記枠体１０１および前記遊技盤本体１００に対する前記開閉扉９の不正開施錠を検知する実施例を記載したが、不正開施錠を検知する対象を前記遊技盤本体および前記開閉扉とするか、前記開閉扉のみとするかは、上述した不正開施錠検知機構の配置を変えることにより容易に実現できるものであり、上述の第３実施例および第４実施例においてどちらの不正開施錠を検知する構成とするかは選択的事項であるとともに、前記不正開施錠検知機構を前記第１実施例、第２実施例、第５実施例、および第６実施例に適用することも出来る。
【産業上の利用可能性】
【０２７６】
外枠および該外枠に対して開閉自在に配設された開閉扉および遊技盤本体を備えた遊技機において、前記開閉扉またはおよび遊技盤本体の開閉動作に付随して動く移動部材と、前記移動部材の位置を検出して定位置にあるのか、移動した位置にあるのかを検出する位置検出センサーと前記位置検出センサーの出力に基づき前記開閉扉またはおよび遊技盤本体の開閉を判定する判定回路と、該判定回路において前記移動部材が移動位置にあることが判定された時には、異常を報知する報知手段を備えることにより、夜間における前記開閉扉またはおよび遊技盤本体の不正開閉を精確に検知するとともに、遊技盤に配設された釘への操作および制御基板への不正改造の可能性を報知することにより、翌朝電源投入後に遊技盤に配設された釘への操作および制御基板の不正改造に対する処置を可能にするという用途にも適用できる。
【図面の簡単な説明】
【０２７７】
【図１】本発明の第１実施例のパチンコ遊技機において、開閉扉を開放した時の斜視図である。
【図２】本第１実施例のパチンコ遊技機において、移動部材、移動機構、位置検出センサー、復帰駆動手段を示す部分拡大斜視図である。
【図３】本第１実施例のパチンコ遊技機において、開閉扉の開放前の状態、開放状態および閉鎖状態における要部である移動部材、移動機構、位置検出センサー、復帰駆動手段を示す部分拡大平面図である。
【図４】本第１実施例のパチンコ遊技機において、開放前および開放後の要部である移動部材、移動機構、位置検出センサー、復帰駆動手段を示す部分拡大側面図である。
【図５】本第１実施例のパチンコ遊技機において、開閉扉、扉開閉検知手段、包囲部材を示す部分拡大斜視図である。
【図６】本第１実施例のパチンコ遊技機において、開放および閉鎖の各状態の開閉扉、扉開閉検知手段を示す部分拡大平面図および部分拡大側面図である。
【図７】本第１実施例のパチンコ遊技機において、鍵のロック機構、開閉扉の鍵のロック位置検出センサーにおける開錠状態および施錠状態を示す部分拡大背面図である。
【図８】本第１実施例のパチンコ遊技機において、開閉扉の電子ロック機構、電子ロック機構のロック状態を検知する電子ロック検知手段を示す部分拡大斜視図である。
【図９】本第１実施例のパチンコ遊技機において、開閉扉の電子ロック機構、電子ロック機構のロック状態を検知する電子ロック検知手段におけるロック状態およびロック解除状態を示す部分拡大背面図である。
【図１０】本第１実施例のパチンコ遊技機において、開閉扉が開放された後、移動部材を人為的に定位置に戻された際に開閉扉が閉鎖不能となる構造を説明するための開放状態および閉鎖途中状態を示す説明図である。
【図１１】本第１実施例および変形例のパチンコ遊技機において、判定回路における異常判定制御により、不正開放を検知して報知手段９０により報知するとともに、遊技の開始阻止制御を行い、これら不正開放による異常状態を解除スイッチにより解除するときの制御ブロック図である。
【図１２】本第１実施例の変形例のパチンコ遊技機において、不正開放を検知し該不正開放の報知および遊技の開始阻止制御を行い、これら不正開放による異常状態を解除スイッチにより解除するときのフローチャート図である。
【図１３】本第１実施例の変形例のパチンコ遊技機において、不正開放を検知し該不正開放の報知および遊技の開始阻止制御を行い、これら不正開放による異常状態を電源切換検出手段により解除するときの制御ブロック図である。
【図１４】本第１実施例の変形例のパチンコ遊技機において、不正開放を検知し該不正開放の報知および遊技の開始阻止制御を行い、これら不正開放による異常状態を電源切換検出手段により解除するときの簡略回路図である。
【図１５】本第１実施例の変形例のパチンコ遊技機において、不正開放を検知し該不正開放の報知および遊技の開始阻止制御を行い、これら不正開放による異常状態を電源切換検出手段により解除するときの出力信号のタイムチャート図である。
【図１６】本第１実施例の変形例のパチンコ遊技機において、不正開放を検知し該不正開放の報知および遊技の開始阻止制御を行い、これら不正開放による異常状態を電源切換検出手段により解除するときのフローチャート図である。
【図１７】本第１実施例の変形例のパチンコ遊技機において、不正開放を検知し該不正開放の報知および遊技の開始阻止制御を行い、これら不正開放による異常状態をタイマー回路を用いて解除する制御ブロック図である。
【図１８】本第１実施例の変形例のパチンコ遊技機において、不正開放を検知し該不正開放の報知および遊技の開始阻止制御を行い、これら不正開放による異常状態をタイマー回路を用いて解除するフローチャート図である。
【図１９】本発明の第２実施例のパチンコ遊技機において、遊技盤本体および開閉扉を開放した時の斜視図である。
【図２０】本第２実施例のパチンコ遊技機において、遊技盤本体の閉鎖時における移動部材周辺の部材の位置関係を示す部分拡大斜視図である。
【図２１】本第２実施例のパチンコ遊技機において、遊技盤本体の開放時における移動部材周辺の部材の位置関係を示す部分拡大斜視図である。
【図２２】本第２実施例のパチンコ遊技機において、遊技盤本体の開放後再び閉鎖された時における移動部材周辺の部材の位置関係を示す部分拡大斜視図である。
【図２３】本第２実施例のパチンコ遊技機において、遊技盤本体が再び閉鎖された後、復帰駆動手段により移動部材を復帰させた状態を示す部分拡大上面図である。
【図２４】本第３実施例のパチンコ遊技機において、開閉扉の鍵の施錠時における移動部材周辺の部材の位置関係を示す部分拡大斜視図である。
【図２５】本第３実施例のパチンコ遊技機において、開閉扉の鍵の開錠途中における移動部材周辺の部材の位置関係を示す部分拡大斜視図である。
【図２６】本第３実施例のパチンコ遊技機において、開閉扉の鍵の開錠後における移動部材周辺の部材の位置関係を示す部分拡大斜視図である。
【図２７】本第３実施例のパチンコ遊技機において、開閉扉の鍵の開錠後再び施錠された後における移動部材周辺の部材の位置関係を示す部分拡大斜視図である。
【図２８】本第４実施例のパチンコ遊技機において、開閉扉の鍵の施錠時における移動部材周辺の部材の位置関係を示す部分拡大斜視図である。
【図２９】本第４実施例のパチンコ遊技機において、開閉扉の鍵の開錠時における移動部材周辺の部材の位置関係を示す部分拡大斜視図である。
【図３０】本第４実施例のパチンコ遊技機において、開閉扉の鍵の開錠後施錠途中における移動部材周辺の部材の位置関係を示す部分拡大斜視図である。
【図３１】本第４実施例のパチンコ遊技機において、開閉扉の鍵の施錠後における移動部材周辺の部材の位置関係を示す部分拡大斜視図である。
【図３２】本第５実施例のパチンコ遊技機において、開閉扉の閉鎖時における移動部材およびスライダーの位置を示す部分拡大平面図である。
【図３３】本第５実施例のパチンコ遊技機において、開閉扉の開放時における移動部材およびスライダーの位置を示す部分拡大平面図である。
【図３４】本第５実施例のパチンコ遊技機において、開閉扉が開放された後再び閉鎖された時における移動部材およびスライダーの位置関係を示す部分拡大平面図である。
【図３５】本第５実施例のパチンコ遊技機において、開閉扉が再び閉鎖された後、復帰駆動手段により移動部材を復帰させた状態を示す部分拡大平面図である。
【図３６】本第５実施例のパチンコ遊技機において、図３２ないし図３５におけるｓ１−ｓ１、ｓ２−ｓ２およびｓ３−ｓ３線に沿って欠截した部位を示す部分拡大断面図である。
【図３７】本第６実施例のパチンコ遊技機において、開閉扉の開放前閉鎖時における移動部材の位置を示す部分拡大断面図である。
【図３８】本第６実施例のパチンコ遊技機において、開閉扉の開放時における落下した移動部材の位置を示す部分拡大断面図である。
【図３９】本第６実施例のパチンコ遊技機において、突設部材、ヒンジ部、略コの字状の揺動部材、阻止機構を示す部分拡大斜視図である。
【図４０】本第６実施例のパチンコ遊技機において、開閉扉の開放後閉鎖された状態における移動部材の位置を示す部分拡大断面図である。
【図４１】本第６実施例のパチンコ遊技機において、開閉扉の開閉後、復帰駆動手段により移動部材を上方位置に復帰させる途中の揺動部材が反時計方向に揺動した状態を示す部分拡大断面図である。
【図４２】本第６実施例のパチンコ遊技機において、略コの字状の揺動部材と円柱状のロッド部材との位置関係を示す図４０におけるＡ−Ａ線矢視の部分拡大図である。
【図４３】従来の第１の遊技機において、ソレノイドにより移動させて下扉の閉動作を阻止する前記移動部材を示す部分断面図である。
【図４４】従来の第２の遊技機において、レールに移動可能に取り付けられ、扉が開放されると移動する扉開放センサを示す部分断面図である。
【符号の説明】
【０２７８】
１  移動部材
２  位置検出センサー
３  復帰駆動手段
４  扉開閉検知手段
５  開閉扉の鍵のロック位置検出センサー
６  開閉扉の電子ロック機構
７  電子ロック機構のロック状態を検知する電子ロック検知手段
９  開閉扉
９０  報知手段
１００  遊技盤本体
１０１  枠体
【図１】
2010029323.tif 000003
【図２】
2010029323.tif 000004
【図３】
2010029323.tif 000005
【図４】
2010029323.tif 000006
【図５】
2010029323.tif 000007
【図６】
2010029323.tif 000008
【図７】
2010029323.tif 000009
【図８】
2010029323.tif 000010
【図９】
2010029323.tif 000011
【図１０】
2010029323.tif 000012
【図１１】
2010029323.tif 000013
【図１２】
2010029323.tif 000014
【図１３】
2010029323.tif 000015
【図１４】
2010029323.tif 000016
【図１５】
2010029323.tif 000017
【図１６】
2010029323.tif 000018
【図１７】
2010029323.tif 000019
【図１８】
2010029323.tif 000020
【図１９】
2010029323.tif 000021
【図２０】
2010029323.tif 000022
【図２１】
2010029323.tif 000023
【図２２】
2010029323.tif 000024
【図２３】
2010029323.tif 000025
【図２４】
2010029323.tif 000026
【図２５】
2010029323.tif 000027
【図２６】
2010029323.tif 000028
【図２７】
2010029323.tif 000029
【図２８】
2010029323.tif 000030
【図２９】
2010029323.tif 000031
【図３０】
2010029323.tif 000032
【図３１】
2010029323.tif 000033
【図３２】
2010029323.tif 000034
【図３３】
2010029323.tif 000035
【図３４】
2010029323.tif 000036
【図３５】
2010029323.tif 000037
【図３６】
2010029323.tif 000038
【図３７】
2010029323.tif 000039
【図３８】
2010029323.tif 000040
【図３９】
2010029323.tif 000041
【図４０】
2010029323.tif 000042
【図４１】
2010029323.tif 000043
【図４２】
2010029323.tif 000044
【図４３】
2010029323.tif 000045
【図４４】
2010029323.tif 000046